(57)【特許請求の範囲】
【請求項１】
増幅手段を備える電子回路の切替回路であって、
複数の素子を備える１または複数の素子群と、
複数のバッファアンプを備え、選択された１または複数のバッファアンプの出力をイネーブルとし、他のバッファアンプの出力をディスエーブルに切り替えて前記バッファアンプの出力を切り替えるビデオマルチプレクサと、
を備え、
前記素子群は直列に接続された前記複数の素子からなり、前記複数のバッファアンプの入力がそれぞれ前記素子と素子の接続部に接続され、前記複数のバッファアンプの出力は共通に接続されて前記増幅手段の入力に接続され、前記素子群の一端が前記増幅手段の出力に接続され、前記素子群の他端が基準電位、信号の入力、バッファアンプを介した信号の入力のいずれかに接続されることを特徴とする、増幅手段を備える電子回路の切替回路。
【請求項２】
直列に接続された前記複数の素子からなる前記素子群の一端が前記増幅手段の出力に接続され、
前記素子群の他端が基準電位に接続され、
前記複数のバッファアンプの入力はそれぞれ前記素子と素子の接続部に接続され、
前記複数のバッファアンプの出力が前記増幅手段の反転入力に接続されることを特徴とする請求項１に記載の、増幅手段を備える電子回路の切替回路。
【請求項３】
直列に接続された前記複数の素子からなる前記素子群の一端が前記増幅手段の出力に接続され、
前記素子群の他端が信号の入力に接続され、
前記複数のバッファアンプの入力はそれぞれ前記素子と素子の接続部に接続され、
前記複数のバッファアンプの出力が前記増幅手段の反転入力に接続されることを特徴とする請求項１に記載の、増幅手段を備える電子回路の切替回路。
【請求項４】
増幅手段を備える電子回路の切替回路であって、
複数の素子を備える１または複数の素子群と、
複数のバッファアンプを備え、選択された１または複数のバッファアンプの出力をイネーブルとし、他のバッファアンプの出力をディスエーブルに切り替えて前記バッファアンプの出力を切り替えるビデオマルチプレクサと、
を備え、
前記素子群は直列に接続された前記複数の素子からなり、前記素子群の一端が基準電位に接続され、前記素子群の他端が信号の入力に接続され、前記複数のバッファアンプの入力はそれぞれ前記素子と素子の接続部または前記素子群の前記他端に接続され、前記複数のバッファアンプの出力は共通に接続されて前記増幅手段の入力に接続され、前記増幅手段は非反転増幅回路または反転増幅回路を構成していることを特徴とする、増幅手段を備える電子回路の切替回路。
【請求項５】
増幅手段を備える電子回路の切替回路であって、
複数の素子を備える１または複数の第１の素子群と、
複数のバッファアンプを備え、選択された１または複数のバッファアンプの出力をイネーブルとし、他のバッファアンプの出力をディスエーブルに切り替えて前記バッファアンプの出力を切り替えるビデオマルチプレクサと、
を備え、
前記第１の素子群は並列に接続された前記複数の素子からなり、前記複数のバッファアンプの出力はそれぞれ前記第１の素子群の一端に接続され、前記複数のバッファアンプの入力は共通に接続されて前記増幅手段の出力に接続され、前記第１の素子群の他端は共通に接続されて前記増幅手段の入力に接続されることを特徴とする、増幅手段を備える電子回路の切替回路。
【請求項６】
さらに、並列に接続された複数の素子からなる１または複数の第２の素子群を備え、
前記ビデオマルチプレクサは、前記第１の素子群側および前記第２の素子群側のそれぞれに備えられ、
前記複数のバッファアンプの出力はそれぞれ前記第１の素子群と前記第２の素子群の一端に接続され、前記第１の素子群と接続された前記複数のバッファアンプの入力は前記増幅手段の出力に接続され、前記第２の素子群と接続された前記複数のバッファアンプの入力は共通に接続されて基準電位または信号の入力に接続され、前記第１の素子群の他端および前記第２の素子群の他端は共通に接続されて前記増幅手段の入力に接続されることを特徴とする、請求項５に記載の、増幅手段を備える電子回路の切替回路。
【請求項７】
前記電子回路は、増幅器、演算回路またはフィルタ回路または発振回路であり、前記増幅器の利得、前記演算回路の利得もしくは演算定数、前記フィルタ回路のカットオフ周波数もしくはＱ（Quality factor）、または前記発振回路の発振周波数を切り替えることを特徴とする請求項１ないし請求項６のいずれか１項に記載の、増幅手段を備える電子回路の切替回路。
【請求項８】
増幅手段と、
複数の素子を備える１または複数の素子群と、
複数のバッファアンプを備え、選択された１または複数のバッファアンプの出力をイネーブルとし、他のバッファアンプの出力をディスエーブルに切り替えて前記バッファアンプの出力を切り替えるビデオマルチプレクサと、
を備え、
前記素子群は直列に接続された前記複数の素子からなり、前記複数のバッファアンプの入力がそれぞれ前記素子と素子の接続部に接続され、前記複数のバッファアンプの出力は共通に接続されて前記増幅手段の入力に接続され、前記素子群の一端が前記増幅手段の出力に接続され、前記素子群の他端が基準電位、信号の入力、バッファアンプを介した信号の入力のいずれかに接続されることを特徴とする電子回路。
【発明の詳細な説明】
【技術分野】
【０００１】
この発明は、増幅手段を備える増幅器、演算回路、フィルタ回路および発振回路などの電子回路の切替回路に関し、例えば、利得の切替えが可能な増幅器および利得切替回路に関するものである。
【背景技術】
【０００２】
ＯＰ（operational）アンプ、帰還抵抗Ｒｆおよび利得抵抗Ｒｇを用いた増幅器の利得は、帰還抵抗Ｒｆと利得抵抗Ｒｇの比によって決まる。このような増幅器においては、帰還抵抗Ｒｆと利得抵抗Ｒｇの組合せを切り替えることによって、利得の切替えが可能な利得切替回路とすることができる（第１の従来技術）。
【０００３】
また、増幅器を用いた利得の切替え技術（第２の従来技術、例えば特許文献１の図１の増幅器１２０参照）や、減衰器を用いた利得の切替え技術（第３の従来技術、例えば特許文献１の図１の減衰器１１０参照）が知られている。
【０００４】
さらに、帰還抵抗Ｒｆおよび／または帰還抵抗Ｒｇを半導体スイッチによって切り替える利得の切替え技術（第４の従来技術）が知られている。
【０００５】
〔第１の従来技術〕
【０００６】
第１の従来技術に係る利得切替回路では、帰還抵抗Ｒｆと利得抵抗Ｒｇの組み合わせを切り替える。第１の従来技術に係る利得切替回路の最小構成を図７３（非反転増幅回路）と図７４（反転増幅回路）に示す。非反転増幅回路および反転増幅回路は増幅器の一例である。
【０００７】
図７３に示す利得切替回路５０２は抵抗切替部５０４を備え、利得の切替えが可能な非反転増幅回路を形成している。抵抗切替部５０４は、抵抗素子である帰還抵抗Ｒｆ1と利得抵抗Ｒｇ1の直列接続からなる第１の素子群と、抵抗素子である帰還抵抗Ｒｆ2と利得抵抗Ｒｇ2の直列接続からなる第２の素子群の２組の素子群を有している。いずれの素子群も、利得抵抗側の一端が基準電位に接続されており、帰還抵抗側の一端はＯＰアンプＵの出力に接続されている。第１および第２の素子群中の抵抗素子同士の接続部は各々、半導体スイッチＳ1または半導体スイッチＳ2の一端に接続され、各半導体スイッチＳ1、Ｓ2の他端は共通に接続されて（つまり、一つにまとめられて）ＯＰアンプＵの反転入力に接続されている。ＯＰアンプＵの非反転入力には、入力電圧Ｖｉｎが与えられている。
【０００８】
利得切替回路５０２の入力電圧をＶｉｎ、出力電圧をＶｏｕｔとすると、利得Ｇは、Ｇ＝Ｖｏｕｔ÷Ｖｉｎと表すことができる。半導体スイッチＳ1と半導体スイッチＳ2は、いずれか一つがオンとなり、他はオフとなる。（以下、半導体スイッチＳ1がオンし、他の半導体スイッチがオフとなることを「Ｓ1：オン」と言い、半導体スイッチＳ2がオンし、他の半導体スイッチがオフとなることを「Ｓ2：オン」と言う。）
【０００９】
利得切替回路５０２において、Ｓ1：オンのときは、利得ＧがＧ＝１＋（Ｒｆ1÷Ｒｇ1）となる。Ｓ2：オンのときは、利得ＧがＧ＝１＋（Ｒｆ2÷Ｒｇ2）となる。
【００１０】
図７３の利得切替回路５０２は非反転増幅回路であるが、この利得切替回路５０２を反転増幅回路に適用することもできる。反転増幅回路の最小構成を図７４に示す。図７４の利得切替回路５１２は、利得切替回路５０２と同様の回路構成を備えているが、接続が異なっている。抵抗切替部５０４では、２組の素子群の利得抵抗側の一端に入力電圧Ｖｉｎが与えられており、つまり信号の入力に用いられており、帰還抵抗側の一端はＯＰアンプＵの出力に接続されている。素子群中の抵抗素子同士の接続部は各々、半導体スイッチＳ1または半導体スイッチＳ2の一端に接続され、各半導体スイッチＳ1、Ｓ2の他端は共通に接続されてＯＰアンプＵの反転入力に接続されている。ＯＰアンプの非反転入力は、基準電位に接続されている。
【００１１】
利得切替回路５１２において、Ｓ1：オンのときは、利得ＧがＧ＝−（Ｒｆ1÷Ｒｇ1）となる。Ｓ2：オンのときは、利得ＧがＧ＝−（Ｒｆ2÷Ｒｇ2）となる。
【００１２】
利得切替えの切替ステップには、利得Ｇを２倍、３倍、４倍…のように切り替える切替ステップや、ｄＢ単位の切替ステップなどがあり、これらの切替ステップは、各抵抗素子の抵抗値を適宜選定することによって選択することができる。（以下同様。）
【００１３】
図７３の利得切替回路５０２において、より多段（ｎ段）の切替えを可能とした利得切替回路を、図７５に示す。また図７４の利得切替回路５１２において、より多段の切替えを可能とした利得切替回路を、図７６に示す。図７５に示す利得切替回路５２２は抵抗切替部５２４を備え、利得の切替えが可能な非反転増幅回路を形成し、図７６に示す利得切替回路５３２は抵抗切替部５２４を備え、利得の切替えが可能な反転増幅回路を形成している。利得切替回路５２２、５３２においても、半導体スイッチＳ1〜Ｓｎはいずれか一つがオンになり、他はオフとなる。
【００１４】
図７６の利得切替回路５３２では、半導体スイッチＳ1〜Ｓｎのいずれがオンになるかによって、入力電圧Ｖｉｎ側から見た抵抗値が変化する場合がある。入力信号源のインピーダンスが十分に低くない場合は、このような抵抗値の変化によって、入力電圧Ｖｉｎが変化してしまうという問題が生じる。
【００１５】
この問題を解決するために、図７７のように、利得切替回路５３２の入力電圧Ｖｉｎ側にバッファアンプＵｂを追加することができる。
【００１６】
〔第２の従来技術〕
【００１７】
次に、第２の従来技術に係る利得切替回路の最小構成を図７８に示す。図７８の利得切替回路５４２は抵抗切替部５４４を備え、利得の切替えが可能な非反転増幅回路を形成している。抵抗切替部５４４では、抵抗素子Ｒ1、抵抗素子Ｒ2、抵抗素子である帰還抵抗Ｒｆの直列接続からなる素子群において、抵抗素子Ｒ1側の一端が基準電位に接続されており、帰還抵抗Ｒｆ側の一端はＯＰアンプＵの出力に接続されている。素子群中の抵抗素子同士の接続部は各々、半導体スイッチＳ1または半導体スイッチＳ2の一端に接続され、半導体スイッチＳ1、Ｓ2の他端は共通に接続されてＯＰアンプＵの反転入力に接続されている。ＯＰアンプＵの非反転入力には、入力電圧Ｖｉｎが与えられている。
【００１８】
第２の従来技術は、第１の従来技術よりも抵抗素子の数が少なくて済むというメリットがある。
【００１９】
半導体スイッチＳ1と半導体スイッチＳ2は、いずれか一つがオンとなり、他はオフとなる。
【００２０】
利得切替回路５４２において、Ｓ1：オンのときは、利得ＧがＧ＝１＋｛（Ｒｆ＋Ｒ2）÷Ｒ1｝となる。Ｓ2：オンのときは、利得ＧがＧ＝１＋｛Ｒｆ÷（Ｒ2＋Ｒ1）｝となる。この一例として、Ｒ1、Ｒ2、Ｒｆの全てが等しい抵抗値Ｒのときを考えると、Ｓ1：オンのときＧ＝３となり、Ｓ2：オンのときはＧ＝１．５となる。
【００２１】
図７８の利得切替回路５４２は非反転増幅回路であるが、この利得切替回路５４２を反転増幅回路に適用することもできる。反転増幅回路の最小構成を図７９に示す。図７９の利得切替回路５５２は、利得切替回路５４２と同様の回路構成を備えているが、接続が異なっている。抵抗切替部５４４では、抵抗素子Ｒ1、抵抗素子Ｒ2、抵抗素子である帰還抵抗Ｒｆの直列接続からなる素子群において、抵抗素子Ｒ1側の一端に入力電圧Ｖｉｎが与えられており、つまり信号の入力に用いられており、帰還抵抗Ｒｆ側の一端はＯＰアンプＵの出力に接続されている。素子群中の抵抗素子同士の接続部は各々、半導体スイッチＳ1または半導体スイッチＳ2の一端に接続され、半導体スイッチの他端は共通に接続されてＯＰアンプＵの反転入力に接続されている。ＯＰアンプの非反転入力は、基準電位に接続されている。
【００２２】
利得切替回路５５２において、Ｓ1：オンのときは、利得ＧがＧ＝−｛（Ｒｆ＋Ｒ2）÷Ｒ1｝となる。Ｓ2：オンのときは、利得ＧがＧ＝−｛Ｒｆ÷（Ｒ2＋Ｒ1）｝となる。この一例として、各抵抗素子の抵抗値がＲ1＝２Ｒ、Ｒ2＝Ｒ、Ｒｆ＝３Ｒのときを考えると、Ｓ1：オンのときＧ＝−２となり、Ｓ2：オンのときはＧ＝−１となる。
【００２３】
図７８の利得切替回路５４２において、より多段（ｎ段）の切替えを可能とした利得切替回路を図８０に示す。また図７９の利得切替回路５５２において、より多段の切替えを可能とした利得切替回路を、図８１に示す。図８０に示す利得切替回路５６２は抵抗切替部５６４を備え、利得の切替えが可能な非反転増幅回路を形成している。図８１に示す利得切替回路５７２は抵抗切替部５６４を備え、利得の切替えが可能な反転増幅回路を形成している。利得切替回路５６２、５７２においても、半導体スイッチＳ1〜Ｓｎはいずれか一つがオンになり、他はオフとなる。
【００２４】
図８１の利得切替回路５７２では、半導体スイッチＳ1〜Ｓｎのいずれがオンになるかによって、入力電圧Ｖｉｎ側から見た抵抗値が変化する。例えば、Ｓ1：オンのときの入力電圧Ｖｉｎ側から見た入力抵抗値はＲ1となり、Ｓ2：オンのときは（Ｒ1＋Ｒ2）となる。したがって、入力信号源のインピーダンスが十分に低くない場合は、このような抵抗値の変化によって、入力電圧Ｖｉｎが変化してしまうという問題が生じる。
【００２５】
この問題を解決するために、図８２のように、利得切替回路５７２の入力電圧Ｖｉｎ側にバッファアンプＵｂを追加することができる。
【００２６】
〔第３の従来技術〕
【００２７】
第３の従来技術に係る利得切替回路の構成を、図８３に示す。図８３に示す利得切替回路５８２は抵抗切替部５８４を備える。抵抗切替部５８４では、抵抗素子Ｒ1〜抵抗素子Ｒｎの直列接続からなる素子群において、抵抗素子Ｒ1側の一端が基準電位に接続されており、抵抗素子Ｒｎ側の一端には入力電圧Ｖｉｎが与えられている、つまり信号の入力に用いられている。素子群中の抵抗素子同士の接続部や抵抗素子Ｒｎ側の一端には各々、半導体スイッチＳ1〜Ｓｎに接続され、半導体スイッチＳ1〜Ｓｎの他端は共通に接続されてＯＰアンプＵの非反転入力に接続されている。抵抗素子である利得抵抗Ｒｇと帰還抵抗Ｒｆの一端は共通に接続され、ＯＰアンプＵの反転入力に接続されている。利得抵抗Ｒｇの他端は基準電位に接続されており、帰還抵抗Ｒｆの他端はＯＰアンプＵの出力に接続されている。
【００２８】
利得切替回路５８２でも、半導体スイッチＳ1〜Ｓｎはいずれか一つがオンになり、他はオフとなる。半導体スイッチＳ1〜Ｓｎのうち半導体スイッチＳｉ（ｉ＝１〜ｎのいずれか）のみがオンになる場合は、利得切替回路５８２の利得Ｇが以下のようになる。
【００２９】
Ｇ＝｛（Ｒ1＋Ｒ2＋…＋Ｒｉ）÷（Ｒ1＋Ｒ2＋…＋Ｒｎ）｝×｛１＋（Ｒｆ÷Ｒｇ）｝
【００３０】
図８３の利得切替回路５８２に、一端を接地点に接続し他端をＯＰアンプＵの非反転入力に接続した半導体スイッチを追加すれば、Ｇ＝０も選択可能となる。
【００３１】
〔第４の従来技術〕
【００３２】
次に、第４の従来技術に係る利得切替回路の構成例を図８４に示す。図８４の利得切替回路６０２は抵抗切替部６０４を備え、利得の切替えが可能な非反転増幅回路を形成している。
【００３３】
抵抗切替部６０４では、抵抗素子である利得抵抗Ｒｇ1と利得抵抗Ｒｇ2の並列接続からなる素子群において、利得抵抗Ｒｇ1の一端が半導体スイッチＳｇ1を介して基準電位に接続されており、利得抵抗Ｒｇ2の一端が半導体スイッチＳｇ2を介して基準電位に接続されている。利得抵抗Ｒｇ1と利得抵抗Ｒｇ2の他端は共通に接続されて、ＯＰアンプＵの反転入力に接続されている。
【００３４】
また、抵抗素子である帰還抵抗Ｒｆ1と帰還抵抗Ｒｆ2の並列接続からなる素子群において、帰還抵抗Ｒｆ1の一端が半導体スイッチＳｆ1を介してＯＰアンプＵの出力に接続されており、帰還抵抗Ｒｆ2の一端が半導体スイッチＳｆ2を介してＯＰアンプＵの出力に接続されている。帰還抵抗Ｒｆ1と帰還抵抗Ｒｆ2の他端は共通に接続されて、ＯＰアンプＵの反転入力に接続されている。
【００３５】
ＯＰアンプＵの非反転入力には、入力電圧Ｖｉｎが与えられている。
【００３６】
半導体スイッチＳｇ1と半導体スイッチＳｇ2では、オンオフに制約はなく両方オン、一方がオン、両方オフのいずかの状態にする。（両方オフの場合は、利得Ｇは１となる。）半導体スイッチＳｆ1と半導体スイッチＳｆ2では、いずれか一つがオン、または両方オンのいずれかの状態にする。
【００３７】
第４の従来技術ではこのように、半導体スイッチのオンオフの選択の自由度が高いため、少ない半導体スイッチによって多種類の利得切替えが可能になるという特徴を有している。
【００３８】
利得切替回路６０２において、Ｓｇ1とＳｇ2の両方がオンのときの等価的な利得抵抗ＲｇはＲｇ＝１÷｛（１÷Ｒｇ1）＋（１÷Ｒｇ2）｝となり、Ｓｇ1のみがオンのときＲｇ＝Ｒｇ1となり、Ｓｇ2のみがオンのときＲｇ＝Ｒｇ2となり、Ｓｇ1とＳｇ2の両方がオフのときはＲｇ＝∞となる。また、Ｓｆ1とＳｆ2の両方がオンのときの等価的な帰還抵抗ＲｆはＲｆ＝１÷｛（１÷Ｒｆ1）＋（１÷Ｒｆ2）｝となり、Ｓｆ1のみがオンのときＲｆ＝Ｒｆ1となり、Ｓｆ2のみがオンのときＲｆ＝Ｒｆ2となる。（ここで、Ｒｇ1の抵抗値はＳｇ1の抵抗を含み、Ｒｇ2はＳｇ2の抵抗を含み、Ｒｆ1はＳｆ1の抵抗を含み、Ｒｆ2はＳｆ2の抵抗を含むこととする。第４の従来技術において、以下同様。）利得切替回路６０２の利得Ｇは、Ｇ＝１＋（Ｒｆ÷Ｒｇ）となる。
【００３９】
このように、抵抗素子と半導体スイッチが各々直列接続されているため、抵抗素子および半導体スイッチによる抵抗値は、抵抗素子の抵抗および半導体スイッチの抵抗の和となる。ここで半導体スイッチの抵抗値が入力電圧によって変化するような場合には、波形歪の原因となる。また、半導体スイッチの抵抗値が周囲温度等によって変化すると、利得が変動することになるため、正確な利得が得られなくなるという問題が生じる。
【００４０】
図８４の利得切替回路６０２は非反転増幅回路であるが、この利得切替回路６０２を反転増幅回路に適用することもできる。反転増幅回路の構成例を図８５に示す。図８５の利得切替回路６１２は、利得切替回路６０２と同様の回路構成を備えているが、接続が異なっている。
【００４１】
抵抗切替部６０４では、抵抗素子である利得抵抗Ｒｇ1と利得抵抗Ｒｇ2の並列接続からなる素子群において、利得抵抗Ｒｇ1の一端に半導体スイッチＳｇ1を介して入力電圧Ｖｉｎが与えられており、利得抵抗Ｒｇ2の一端に半導体スイッチＳｇ2を介して入力電圧Ｖｉｎが与えられている。利得抵抗Ｒｇ1と利得抵抗Ｒｇ2の他端は共通に接続されて、ＯＰアンプＵの反転入力に接続されている。
【００４２】
また、抵抗素子である帰還抵抗Ｒｆ1と帰還抵抗Ｒｆ2の並列接続からなる素子群において、帰還抵抗Ｒｆ1の一端が半導体スイッチＳｆ1を介してＯＰアンプＵの出力に接続されており、帰還抵抗Ｒｆ2の一端が半導体スイッチＳｆ2を介してＯＰアンプＵの出力に接続されている。帰還抵抗Ｒｆ1と帰還抵抗Ｒｆ2の他端は共通に接続されて、ＯＰアンプＵの反転入力に接続されている。
【００４３】
ＯＰアンプＵの非反転入力は、基準電位に接続されている。
【００４４】
半導体スイッチＳｇ1と半導体スイッチＳｇ2は、いずれか一つがオン、または両方オンのいずれかの状態にする。（両方オフのときは、利得切替回路６１２の利得Ｇは０となる。）半導体スイッチＳｆ1と半導体スイッチＳｆ2は、いずれか一つがオン、または両方オンのいずれかの状態にする。
【００４５】
第４の従来技術では、２対１や４対１のようにその出力が一括接続されている半導体スイッチではなく、各々独立した半導体スイッチが用いられる。この半導体スイッチは各々独立してオンオフを選択することができる。
【００４６】
利得切替回路６１２において、Ｓｇ1とＳｇ2の両方がオンのとき等価的な利得抵抗ＲｇはＲｇ＝１÷｛（１÷Ｒｇ1）＋（１÷Ｒｇ2）｝となり、Ｓｇ1のみがオンのときＲｇ＝Ｒｇ1となり、Ｓｇ2のみがオンのときＲｇ＝Ｒｇ2となる。また、Ｓｆ1とＳｆ2の両方がオンのとき等価的な帰還抵抗ＲｆはＲｆ＝１÷｛（１÷Ｒｆ1）＋（１÷Ｒｆ2）｝となり、Ｓｆ1のみがオンのときＲｆ＝Ｒｆ1となり、Ｓｆ2のみがオンのときＲｆ＝Ｒｆ2となる。利得切替回路６１２の利得Ｇは、Ｇ＝−（Ｒｆ÷Ｒｇ）となる。
【００４７】
図８４の利得切替回路６０２において、より多段（ｎ段）の切替えを可能とした利得切替回路を図８６に示す。また図８５の利得切替回路６１２において、より多段の切替えを可能とした利得切替回路を図８７に示す。図８６に示す利得切替回路６２２は抵抗切替部６２４を備え、利得の切替えが可能な非反転増幅回路を形成している。図８７に示す利得切替回路６３２は抵抗切替部６２４を備え、利得の切替えが可能な反転増幅回路を形成している。
【００４８】
利得切替回路６２２において、半導体スイッチＳｇ1〜Ｓｇｎではオンオフに制約はないが、半導体スイッチＳｆ1〜Ｓｆｎはいずれか一つ以上がオンである必要がある。一方、利得切替回路６３２においては、半導体スイッチＳｇ1〜Ｓｇｎはいずれか一つ以上がオンである必要があり、半導体スイッチＳｆ1〜Ｓｆｎもいずれか一つ以上がオンである必要がある。（半導体スイッチＳｇ1〜Ｓｇｎが全てオフのとき、利得切替回路６３２の利得Ｇは０となる。）
【００４９】
図８７の利得切替回路６３２では、半導体スイッチＳｇ1〜Ｓｇｎのオンオフの選択によって、入力電圧Ｖｉｎ側から見た抵抗値が変化する。したがって、入力信号源のインピーダンスが十分に低くない場合は、このような抵抗値の変化によって、入力電圧Ｖｉｎが変化してしまうという問題が生じる。
【００５０】
このような問題を解決するために、図８８のように、利得切替回路６３２の入力電圧Ｖｉｎ側にバッファアンプＵｂを追加することができる。
【００５１】
ここでは、利得抵抗側、帰還抵抗側の両方に半導体スイッチを設ける例を示したが、いずれか一方のみに半導体スイッチを設けることもでき、このような回路も第４の従来技術に含まれる。
【００５２】
〔その他の関連技術〕
【００５３】
増幅手段を備えるその他の関連回路技術として、下記の回路を例示する。
【００５４】
図８９に示す差動増幅回路、
図９０に示す他の差動増幅回路、
図９１に示す反転型加算回路、
図９２に示す加減算回路、
図９３に示す積分回路、
図９４に示す微分回路、
図９５に示す電流増幅回路（電流−電圧変換回路）、
図９６に示す電圧−電流変換回路、
図９７に示すアクティブフィルタ（２次の正帰還型ローパスフィルタを例示する。）および
図９８に示す方形波発振回路
【００５５】
複数のビデオ信号のうちの１つを選択することを主目的とする、２対１や４対１などのビデオマルチプレクサが知られている（４対１のビデオマルチプレクサの例は、非特許文献１および非特許文献２参照）。
【先行技術文献】
【特許文献】
【００５６】
【特許文献１】特開２０１３−１８７７５０号公報
【非特許文献】
【００５７】
【非特許文献１】「AD 8184: 700 MHz, 5 mA 4:1 ビデオマルチプレクサ  データシート（AD 8184: 700 MHz, 5 mA 4-to-1 Video Multiplexer Data Sheet）」、アナログ・デバイセズ社（Analog Devices, Inc.）、１９９７年、インターネット＜ＵＲＬ： HYPERLINK "http://www.analog.com/media/en/technical-documentation/data-sheets/AD8184.pdf" http://www.analog.com/media/en/technical-documentation/data-sheets/AD8184.pdf＞
【非特許文献２】「LMH6574 4:1 高速ビデオマルチプレクサ（LMH6574 4:1 High Speed Video Multiplexer）」、テキサス・インスツルメンツ社（Texas Instruments Incorporated）、2004年11月（改訂：2014年12月）、インターネット＜ＵＲＬ： HYPERLINK "http://www.ti.com/lit/ds/symlink/lmh6574.pdf" http://www.ti.com/lit/ds/symlink/lmh6574.pdf＞
【発明の概要】
【発明が解決しようとする課題】
【００５８】
第１の従来技術に係る利得切替回路５２２、５３２や、第２の従来技術に係る利得切替回路５６２、５７２においては、半導体スイッチの比較的大きな容量（一例として、数十ｐＦ）がＯＰアンプＵの反転入力に付加されるため、周波数特性にピークが生じてしまうという課題を有している。また、どの半導体スイッチがオンするかによって、ピークの大きさやピークの周波数が変化してしまうという課題も有している。
【００５９】
帰還容量Ｃｆを追加する等による位相補償を行えば、ある半導体スイッチがオンのときの周波数特性を平坦にしてピークをなくすることはできるが、他の半導体スイッチがオンしたときには平坦な周波数特性が得られないという課題も有している。
【００６０】
また、第１の従来技術に係る利得切替回路５３２、第２の従来技術に係る利得切替回路５７２や、第３の従来技術に係る利得切替回路５８２においては、半導体スイッチの容量によって帯域が制限されるという課題も有している。
【００６１】
また、半導体スイッチの抵抗値が半導体スイッチの入力電圧によって変化する場合は、ひずみ特性が劣化するという課題も有している。（特許文献１の段落００１１〜段落００１７および段落００２０〜段落００２２参照。）
【００６２】
そこで本発明の目的は、増幅器などの電子回路の周波数特性にピークが生じることがなく、または周波数特性に生じるピークを小さくすること、周波数特性を平坦にすること、広帯域化すること、またはひずみ特性の劣化を抑制することにある。例えば、利得を切り替えることができる増幅器の各利得の周波数特性にピークが生じることがなく、または各利得の周波数特性に生じるピークを小さくすること、増幅器の各利得の周波数特性を平坦にすること、広帯域化すること、またはひずみ特性の劣化を抑制することにある。
【課題を解決するための手段】
【００６３】
上記目的を達成するため、本発明の増幅手段を備える電子回路の切替回路は、複数の素子を備える１または複数の素子群と、ビデオマルチプレクサとを備える。ビデオマルチプレクサは、複数のバッファアンプを備え、選択された１または複数のバッファアンプの出力をイネーブルとし、他のバッファアンプの出力をディスエーブルに切り替えて前記バッファアンプの出力を切り替える。前記素子群は直列に接続された前記複数の素子からなり、前記複数のバッファアンプの入力がそれぞれ前記素子と素子の接続部に接続され、前記複数のバッファアンプの出力は共通に接続されて前記増幅手段の入力に接続され、前記素子群の一端が前記増幅手段の出力に接続され、前記素子群の他端が基準電位、信号の入力、バッファアンプを介した信号の入力のいずれかに接続されていてもよい。
【００６４】
本発明の増幅手段を備える電子回路の切替回路では、直列に接続された前記複数の素子からなる前記素子群の一端が前記増幅手段の出力に接続され、前記素子群の他端が基準電位に接続され、前記複数のバッファアンプの入力はそれぞれ前記素子と素子の接続部に接続され、前記複数のバッファアンプの出力が前記増幅手段の反転入力に接続されていてもよい。
【００６５】
本発明の増幅手段を備える電子回路の切替回路では、直列に接続された前記複数の素子からなる前記素子群の一端が前記増幅手段の出力に接続され、前記素子群の他端が信号の入力に接続され、前記複数のバッファアンプの入力はそれぞれ前記素子と素子の接続部に接続され、前記複数のバッファアンプの出力が前記増幅手段の反転入力に接続されていてもよい。
【００６６】
上記目的を達成するため、本発明の増幅手段を備える電子回路の切替回路は、複数の素子を備える１または複数の素子群と、ビデオマルチプレクサとを備える。ビデオマルチプレクサは、複数のバッファアンプを備え、選択された１または複数のバッファアンプの出力をイネーブルとし、他のバッファアンプの出力をディスエーブルに切り替えて前記バッファアンプの出力を切り替える。前記素子群は、直列に接続された前記複数の素子からなり、前記素子群の一端が基準電位に接続され、前記素子群の他端が信号の入力に接続され、前記複数のバッファアンプの入力はそれぞれ前記素子と素子の接続部または前記素子群の前記他端に接続され、前記複数のバッファアンプの出力は共通に接続されて前記増幅手段の入力に接続され、前記増幅手段は非反転増幅回路または反転増幅回路を構成してもよい。
【００６７】
上記目的を達成するため、本発明の増幅手段を備える電子回路の切替回路は、増幅手段を備える電子回路の切替回路であって、複数の素子を備える１または複数の第１の素子群と、複数のバッファアンプを備え、選択された１または複数のバッファアンプの出力をイネーブルとし、他のバッファアンプの出力をディスエーブルに切り替えて前記バッファアンプの出力を切り替えるビデオマルチプレクサとを備え、前記第１の素子群は並列に接続された前記複数の素子からなり、前記複数のバッファアンプの出力はそれぞれ前記第１の素子群の一端に接続され、前記複数のバッファアンプの入力は共通に接続されて前記増幅手段の出力に接続され、前記第１の素子群の他端は共通に接続されて前記増幅手段の入力に接続されていてもよい。
本発明の増幅手段を備える電子回路の切替回路では、さらに、並列に接続された複数の素子からなる１または複数の第２の素子群を備え、前記ビデオマルチプレクサは、前記第１の素子群側および前記第２の素子群側のそれぞれに備えられ、前記複数のバッファアンプの出力はそれぞれ前記第１の素子群と前記第２の素子群の一端に接続され、前記第１の素子群と接続された前記複数のバッファアンプの入力は前記増幅手段の出力に接続され、前記第２の素子群と接続された前記複数のバッファアンプの入力は共通に接続されて基準電位または信号の入力に接続され、前記第１の素子群の他端および前記第２の素子群の他端は共通に接続されて前記増幅手段の入力に接続されていてもよい。
【００６８】
本発明の増幅手段を備える電子回路の切替回路では、前記電子回路は、増幅器、演算回路またはフィルタ回路または発振回路でもよい。増幅器であれば利得を切り替えてもよく、演算回路であれば利得または演算定数を切り替えてもよく、フィルタ回路であればカットオフ周波数もしくはＱ（Quality factor）を切り替えてもよく、発振回路であれば発振周波数を切り替えてもよい。
【００６９】
上記目的を達成するため、本発明の電子回路は、増幅手段と、複数の素子を備える１または複数の素子群と、ビデオマルチプレクサとを備える。ビデオマルチプレクサは、複数のバッファアンプを備え、選択された１または複数のバッファアンプの出力をイネーブルとし、他のバッファアンプの出力をディスエーブルに切り替えて前記バッファアンプの出力を切り替える。前記素子群は直列に接続された前記複数の素子からなり、前記複数のバッファアンプの入力がそれぞれ前記素子と素子の接続部に接続され、前記複数のバッファアンプの出力は共通に接続されて前記増幅手段の入力に接続され、前記素子群の一端が前記増幅手段の出力に接続され、前記素子群の他端が基準電位、信号の入力、バッファアンプを介した信号の入力のいずれかに接続されていてもよい。
【発明の効果】
【００７０】
本発明によれば、次のような効果が得られる。
【００７１】
(1) ビデオマルチプレクサのバッファアンプが増幅手段の入力を低インピーダンスで駆動するので、周波数特性にピークが生じることがない、または周波数特性に生じるピークを小さくすることができる。また、周波数特性の変化をほとんどないようにすることができる。増幅器であれば増幅器の利得の周波数特性にピークが生じることがない、または周波数特性に生じるピークを小さくすることができる。また、各利得において周波数特性の変化をほとんどないようにすることができる。さらに、位相補償のための帰還容量Ｃｆを小容量とすることができ、または、帰還容量Ｃｆを不要にすることができる。
【００７２】
(2) ビデオマルチプレクサのバッファアンプの入力容量はオン／オフでは変化せず、かつ小容量であるので、利得などの切替えの設定による周波数特性や帯域の変化が生じず、広帯域にすることができる。
【００７３】
(3) ビデオマルチプレクサでは、半導体スイッチにおける入力電圧による抵抗値の変化によるひずみ特性の劣化のような問題を抑制することができる。
【００７４】
そして、本発明の他の目的、特徴および利点は、添付図面および各実施の形態を参照することにより、一層明確になるであろう。
【図面の簡単な説明】
【００７５】
【図１】第１の実施の形態に係る基本的な利得切替回路（非反転増幅回路）の一例を示す図である。
【図２】第１の実施の形態に係る基本的な利得切替回路（反転増幅回路）の一例を示す図である。
【図３】第１の実施の形態に係る利得切替回路（非反転増幅回路）の一例を示す図である。
【図４】第１の実施の形態に係る利得切替回路（反転増幅回路）の一例を示す図である。
【図５】第１の実施の形態に係る利得切替回路（反転増幅回路）の変形例を示す図である。
【図６】第２の実施の形態に係る基本的な利得切替回路（非反転増幅回路）の一例を示す図である。
【図７】第２の実施の形態に係る基本的な利得切替回路（反転増幅回路）の一例を示す図である。
【図８】第２の実施の形態に係る利得切替回路（非反転増幅回路）の一例を示す図である。
【図９】第２の実施の形態に係る利得切替回路（反転増幅回路）の一例を示す図である。
【図１０】第２の実施の形態に係る利得切替回路（反転増幅回路）の変形例を示す図である。
【図１１】第１の実施の形態と第２の実施の形態の併用による変形例を示す図である。
【図１２】第３の実施の形態に係る利得切替回路の一例を示す図である。
【図１３】第４の実施の形態に係る基本的な利得切替回路（非反転増幅回路）の一例を示す図である。
【図１４】第４の実施の形態に係る基本的な利得切替回路（反転増幅回路）の一例を示す図である。
【図１５】第４の実施の形態に係る利得切替回路（非反転増幅回路）の一例を示す図である。
【図１６】第４の実施の形態に係る利得切替回路（反転増幅回路）の一例を示す図である。
【図１７】第１の従来技術を用いた利得切替回路（非反転増幅回路）のシミュレーション回路例である。
【図１８】第１の実施の形態の利得切替回路（非反転増幅回路）のシミュレーション回路例である。
【図１９】図１７に示すシミュレーション回路のシミュレーション結果の例である。
【図２０】図１８に示すシミュレーション回路のシミュレーション結果の例である。
【図２１】第１の従来技術を用いた利得切替回路（反転増幅回路）のシミュレーション回路例である。
【図２２】第１の実施の形態の利得切替回路（反転増幅回路）のシミュレーション回路例である。
【図２３】図２１に示すシミュレーション回路のシミュレーション結果の例である。
【図２４】図２２に示すシミュレーション回路のシミュレーション結果の例である。
【図２５】第２の従来技術を用いた利得切替回路（非反転増幅回路）のシミュレーション回路例である。
【図２６】第２の実施の形態の利得切替回路（非反転増幅回路）のシミュレーション回路例である。
【図２７】図２５に示すシミュレーション回路のシミュレーション結果の例である。
【図２８】図２６に示すシミュレーション回路のシミュレーション結果の例である。
【図２９】第２の従来技術を用いた利得切替回路（反転増幅回路）のシミュレーション回路例である。
【図３０】第２の実施の形態の利得切替回路（反転増幅回路）のシミュレーション回路例である。
【図３１】図２９に示すシミュレーション回路のシミュレーション結果の例である。
【図３２】図３０に示すシミュレーション回路のシミュレーション結果の例である。
【図３３】第３の従来技術を用いた利得切替回路のシミュレーション回路例である。
【図３４】第３の実施の形態の利得切替回路のシミュレーション回路例である。
【図３５】図３３に示すシミュレーション回路のシミュレーション結果の例である。
【図３６】図３４に示すシミュレーション回路のシミュレーション結果の例である。
【図３７】第４の従来技術を用いた利得切替回路（非反転増幅回路）のシミュレーション回路例である。
【図３８】第４の実施の形態の利得切替回路（非反転増幅回路）のシミュレーション回路例である。
【図３９】図３７に示すシミュレーション回路のシミュレーション結果の例である。
【図４０】図３８に示すシミュレーション回路のシミュレーション結果の例である。
【図４１】第４の従来技術を用いた利得切替回路（反転増幅回路）のシミュレーション回路例である。
【図４２】第４の実施の形態の利得切替回路（反転増幅回路）のシミュレーション回路例である。
【図４３】図４１に示すシミュレーション回路のシミュレーション結果の例である。
【図４４】図４２に示すシミュレーション回路のシミュレーション結果の例である。
【図４５】第１の従来技術を適用した差動増幅回路の利得切替回路の例である。
【図４６】第１の実施の形態の技術を適用した差動増幅回路の利得切替回路の例である。
【図４７】第２の従来技術を適用した差動増幅回路の利得切替回路の例である。
【図４８】第２の実施の形態の技術を適用した差動増幅回路の利得切替回路の例である。
【図４９】第３の従来技術を適用した差動増幅回路の利得切替回路の例である。
【図５０】第３の実施の形態の技術を適用した差動増幅回路の利得切替回路の例である。
【図５１】第４の従来技術を適用した差動増幅回路の利得切替回路の例である。
【図５２】第４の実施の形態の技術を適用した差動増幅回路の利得切替回路の例である。
【図５３】第１の従来技術を適用した積分回路の積分定数切替回路の例である。
【図５４】第１の実施の形態の技術を適用した積分回路の積分定数切替回路の例である。
【図５５】第４の従来技術を適用した積分回路の積分定数切替回路の例である。
【図５６】第４の実施の形態の技術を適用した積分回路の積分定数切替回路の例である。
【図５７】第１の従来技術を適用した微分回路の微分定数切替回路の例である。
【図５８】第１の実施の形態の技術を適用した微分回路の微分定数切替回路の例である。
【図５９】第４の従来技術を適用した微分回路の微分定数切替回路の例である。
【図６０】第４の実施の形態の技術を適用した微分回路の微分定数切替回路の例である。
【図６１】第４の従来技術を適用した電流増幅回路の利得切替回路の例である。
【図６２】第４の実施の形態の技術を適用した電流増幅回路の利得定数切替回路の例である。
【図６３】第２の従来技術を適用した電圧−電流変換回路の変換定数切替回路の例である。
【図６４】第２の実施の形態の技術を適用した電圧−電流変換回路の変換定数切替回路の例である。
【図６５】第４の従来技術を適用した電圧−電流変換回路の変換定数切替回路の例である。
【図６６】第４の実施の形態の技術を適用した電圧−電流変換回路の変換定数切替回路の例である。
【図６７】第１の従来技術を適用したアクティブフィルタの切替回路の例である。
【図６８】第１の実施の形態の技術を適用したアクティブフィルタの切替回路の例である。
【図６９】第１の従来技術を適用した発振回路の発振周波数切替回路の例である。
【図７０】第１の実施の形態の技術を適用した発振回路の発振周波数切替回路の例である。
【図７１】第４の従来技術を適用した発振回路の発振周波数切替回路の例である。
【図７２】第４の実施の形態の技術を適用した発振回路の発振周波数切替回路の例である。
【図７３】第１の従来技術における基本的な利得切替回路（非反転増幅回路）である。
【図７４】第１の従来技術における基本的な利得切替回路（反転増幅回路）である。
【図７５】第１の従来技術における利得切替回路（非反転増幅回路）である。
【図７６】第１の従来技術における利得切替回路（反転増幅回路）である。
【図７７】第１の従来技術における利得切替回路（反転増幅回路）の変形例である。
【図７８】第２の従来技術における基本的な利得切替回路（非反転増幅回路）である。
【図７９】第２の従来技術における基本的な利得切替回路（反転増幅回路）である。
【図８０】第２の従来技術における利得切替回路（非反転増幅回路）である。
【図８１】第２の従来技術における利得切替回路（反転増幅回路）である。
【図８２】第２の従来技術における利得切替回路（反転増幅回路）の変形例である。
【図８３】第３の従来技術における利得切替回路である。
【図８４】第４の従来技術における基本的な利得切替回路（非反転増幅回路）である。
【図８５】第４の従来技術における基本的な利得切替回路（反転増幅回路）である。
【図８６】第４の従来技術における利得切替回路（非反転増幅回路）である。
【図８７】第４の従来技術における利得切替回路（反転増幅回路）である。
【図８８】第４の従来技術における利得切替回路（反転増幅回路）の変形例である。
【図８９】差動増幅回路の例である。
【図９０】他の差動増幅回路の例である。
【図９１】反転型加算回路の例である。
【図９２】加減算回路の例である。
【図９３】積分回路の例である。
【図９４】微分回路の例である。
【図９５】電流増幅回路（電流−電圧変換回路）の例である。
【図９６】電圧−電流変換回路の例である。
【図９７】アクティブフィルタの例である。
【図９８】方形波発振回路の例である。
【発明を実施するための形態】
【００７６】
以下、本発明の実施の形態について、詳細に説明する。
【００７７】
〔第１の実施の形態〕
【００７８】
第１の実施の形態は、ビデオマルチプレクサを用いた、増幅器の利得切替回路を示している。この増幅器の利得切替回路は、本発明の増幅手段を備える電子回路の切替回路および電子回路の一例である。
【００７９】
図１は第１の実施の形態に係る基本的な利得切替回路（非反転増幅回路）の一例を示しており、図２は第１の実施の形態に係る基本的な利得切替回路（反転増幅回路）の一例を示している。
【００８０】
図３は第１の実施の形態に係る利得切替回路（非反転増幅回路）の一例を示しており、図４は第１の実施の形態に係る利得切替回路（反転増幅回路）の一例を示しており、図５は第１の実施の形態に係る利得切替回路（反転増幅回路）の変形例を示している。
【００８１】
図１に示す利得切替回路１２は、抵抗切替部１４を備え、利得の切替えが可能な非反転増幅回路を形成している。抵抗切替部１４は、抵抗素子である帰還抵抗Ｒｆ1と利得抵抗Ｒｇ1の直列接続からなる第１の素子群と、抵抗素子である帰還抵抗Ｒｆ2と利得抵抗Ｒｇ2の直列接続からなる第２の素子群の２組の素子群を有している。いずれの素子群も、利得抵抗側の一端が基準電位に接続されており、帰還抵抗側の一端はＯＰアンプＵの出力に接続されている。ＯＰアンプＵは増幅手段の一例である。
【００８２】
利得切替回路１２の抵抗切替部１４では、切替手段としてビデオマルチプレクサ１６を用いている。ビデオマルチプレクサ１６は、出力イネーブル機能を有する複数のバッファアンプＵ1、Ｕ2を備えており、いずれか１つのバッファアンプＵ1、Ｕ2のみが出力イネーブルとなり、他のバッファアンプＵ1、Ｕ2は出力ディスエーブル（出力がハイインピーダンス）となるものである（以下、ビデオマルチプレクサ１６中のバッファアンプＵｉ（ｉ＝１，２、・・・ｎ）がイネーブルになり、他のバッファアンプがディスエーブルになることを、「Ｓｉ：オン」と言う）。ビデオマルチプレクサ１６には例えば、背景技術で説明した非特許文献１や非特許文献２に記載されているような４対１のビデオマルチプレクサを用いることができる。このようなビデオマルチプレクサ１６には、選択入力が備えられている。この選択入力には、制御装置が出力する選択信号が入力される。ビデオマルチプレクサ１６はこの選択信号に応じて、一つのバッファアンプを選択してその出力をイネーブルとし、他のバッファアンプの出力をディスエーブルに切り替える。
【００８３】
ビデオマルチプレクサ１６は組み合わせて使用することができる。つまり、複数のビデオマルチプレクサ１６を組み合わせてより多数の信号の１つを選択するようにすることができる。この場合、別途設けるデマルチプレクサで複数のビデオマルチプレクサ１６のうちの一つのイネーブル入力を選択させることができる。デマルチプレクサは制御装置からの制御信号に応じていずれか一つの出力を選択するものであり、複数のビデオマルチプレクサ１６のうちの一つを選択するためのセレクタの一例である。
【００８４】
ビデオマルチプレクサ１６では上記のように、バッファアンプＵ1、Ｕ2の出力のイネーブル／ディスエーブルによって出力または非出力の切替えを行っているが、図１ではバッファアンプＵ1、Ｕ2の動作の理解を容易にするために、バッファアンプＵ1、Ｕ2の出力イネーブル機能をバッファアンプＵ1、Ｕ2とスイッチＳ1、Ｓ2の直列接続として表記している。第１および第２の素子群中の抵抗素子同士の接続部は各々、ビデオマルチプレクサ１６のバッファアンプＵ1の入力、またはバッファアンプＵ2の入力に接続している。各バッファアンプＵ1、Ｕ2の出力は共通に接続されて（つまり、一つにまとめられて）ＯＰアンプＵの反転入力に接続されている。ＯＰアンプＵの非反転入力には、入力電圧Ｖｉｎが与えられている。
【００８５】
なお、利得切替回路１２では出力イネーブル機能を有する複数のバッファアンプＵ1、Ｕ2を例示しているが、出力イネーブル機能を有していれば、他の種類の増幅器やＯＰアンプを用いることもでき、利得は１以外でもよい。例えば、利得が２であってもよい。非特許文献２のビデオマルチプレクサは、外付抵抗の抵抗値を選択することによって、利得を自由に設定できるようになっている。なお、利得が１以外の場合は、ＯＰアンプＵの開ループゲインが等価的に変化したように見えることになる。
【００８６】
また、出力イネーブル機能を単独で有する複数のバッファアンプや複数のＯＰアンプ等と、別途設けるデマルチプレクサの組み合わせによって、同様の機能を実現することもできる。つまり、ビデオマルチプレクサ１６は複数のバッファアンプとデマルチプレクサの組合せや、複数のＯＰアンプとデマルチプレクサの組み合わせであってもよい。（なお、出力イネーブル機能を有するＯＰアンプを使用する場合は、出力をディスエーブルするときに、帰還回路も出力から切り離す必要がある。）
【００８７】
利得切替回路１２において、Ｓ1：オンのときは、利得ＧがＧ＝１＋（Ｒｆ1÷Ｒｇ1）となり、Ｓ2：オンのときは利得ＧがＧ＝１＋（Ｒｆ2÷Ｒｇ2）となる。
【００８８】
各抵抗素子および抵抗素子である帰還抵抗Ｒｆの抵抗値を適宜選定することによって利得切替回路１２の切替ステップを選択することができる。（他の実施の形態も同様。）
【００８９】
図１の利得切替回路１２は非反転増幅回路となっているが、この利得切替回路１２を反転増幅回路に適用することもできるので、これを図２に示す。
【００９０】
図２の利得切替回路２２は利得切替回路１２と同様の回路構成を備えているが、接続が異なっている。利得切替回路２２において、Ｓ1：オンのときは、利得ＧがＧ＝−（Ｒｆ1÷Ｒｇ1）となり、Ｓ2：オンのときは利得ＧがＧ＝−（Ｒｆ2÷Ｒｇ2）となる。
【００９１】
利得切替回路１２、２２では、ビデオマルチプレクサ１６を用いるので、出力がイネーブルになっているビデオマルチプレクサ１６のバッファアンプＵ1、Ｕ2のいずれかが、ＯＰアンプＵの反転入力や、出力がディスエーブルになっている他のバッファアンプの出力容量を低インピーダンスで駆動しているため、周波数特性にはほとんどピークが生じない。つまり、増幅器の利得の周波数特性にピークが生じることがない、または周波数特性に生じるピークを小さくすることができる。また、ビデオマルチプレクサ１６のどのバッファアンプＵ1、Ｕ2がイネーブルになるかによる周波数特性の変化がほとんどない。つまり各利得において周波数特性の変化をほとんどないようにすることができる。さらに、位相補償のための帰還容量Ｃｆを小容量とすることができ、または、帰還容量Ｃｆを不要にすることができる。
【００９２】
また、ビデオマルチプレクサ１６のバッファアンプＵ1、Ｕ2の入力容量はオン／オフでは変化せず、かつ小容量（一例として１．５〔ｐＦ〕）であるため、利得切替えの設定による周波数特性や帯域に変化を生じないようにすることができる。
【００９３】
さらに、ビデオマルチプレクサ１６では、半導体スイッチにおける入力電圧による抵抗値変化のような現象は生じないため、半導体スイッチによるひずみ特性の劣化のような現象が生じない。つまり、入力電圧に関わらず、ひずみ特性の劣化を抑制することができる。
【００９４】
図１の利得切替回路１２において、より多段（ｎ段）の切替えを可能とした利得切替回路を図３に示す。また図２の利得切替回路２２において、より多段の切替えを可能とした利得切替回路を図４に示す。図３に示す利得切替回路３２は抵抗切替部３４を備え、利得の切替えが可能な非反転増幅回路を形成している。図４に示す利得切替回路４２は抵抗切替部３４を備え、利得の切替えが可能な反転増幅回路を形成している。利得切替回路３２、４２においても、ビデオマルチプレクサ３６中のバッファアンプＵ1〜Ｕｎはいずれか一つがイネーブルになり、他はディスエーブルとなる。ビデオマルチプレクサ３６では、バッファアンプＵ1〜Ｕｎの出力のイネーブル／ディスエーブルによって出力または非出力の切替えを行っているが、図３、図４ではバッファアンプＵ1〜Ｕｎの動作の理解を容易にするために、バッファアンプＵ1〜Ｕｎの出力イネーブル機能をバッファアンプＵ1〜ＵｎとスイッチＳ1〜Ｓｎの直列接続として表記している。
【００９５】
図４の利得切替回路４２では、ビデオマルチプレクサ３６中のバッファアンプＵ1〜Ｕｎのいずれがイネーブルになるかによって、入力電圧Ｖｉｎ側から見た抵抗値が変化する場合がある。入力信号源のインピーダンスが十分に低くない場合は、このような抵抗値の変化によって、入力電圧Ｖｉｎが変化することを回避するため、図５のように、入力電圧Ｖｉｎ側にバッファアンプＵｂが追加される。
【００９６】
図３〜図５の利得切替回路３２、４２においては、出力がイネーブルになっているビデオマルチプレクサ３６中の１つのバッファアンプ（Ｕ1〜Ｕｎのいずれか）が、ＯＰアンプＵの反転入力や、ディスエーブルになっているビデオマルチプレクサ３６の他のバッファアンプの出力容量を低インピーダンスで駆動しているため、位相補償のための帰還容量Ｃｆは小容量で済むか、不要である。この結果、周波数特性にはピークがほとんど生じず、ビデオマルチプレクサ３６のどのバッファアンプがイネーブルになるかによる周波数特性の変化がほとんどない。またビデオマルチプレクサ３６の入出力容量が半導体スイッチの容量よりも小さいため、第１の従来技術よりも広帯域にすることができる。
【００９７】
また、図３〜図５の利得切替回路３２、４２において、ビデオマルチプレクサ３６のバッファアンプＵ1〜Ｕｎの入力容量はイネーブル／ディスエーブルでは変化せず、かつ各々が小容量（一例として１．５〔ｐＦ〕）であるため、利得切替えの設定による周波数特性や帯域の変化が生じないようにすることができる。
【００９８】
さらに、ビデオマルチプレクサでは、半導体スイッチにおける入力電圧による抵抗値変化のような現象は生じないため、半導体スイッチによるひずみ特性の劣化のような現象が生じないようにすることができる。
【００９９】
〔第２の実施の形態〕
【０１００】
第２の実施の形態は、一つの素子群とビデオマルチプレクサを用いた増幅器の利得切替回路を示している。
【０１０１】
図６は第２の実施の形態に係る基本的な利得切替回路（非反転増幅回路）の一例を示しており、図７は第２の実施の形態に係る基本的な利得切替回路（反転増幅回路）の一例を示している。
【０１０２】
図８は第２の実施の形態に係る利得切替回路（非反転増幅回路）の一例を示しており、図９は第２の実施の形態に係る利得切替回路（反転増幅回路）の一例を示しており、図１０は第２の実施の形態に係る利得切替回路（反転増幅回路）の変形例を示している。
【０１０３】
図６に示す利得切替回路５２は抵抗切替部５４を備え、利得の切替えが可能な非反転増幅回路を形成している。抵抗切替部５４は、抵抗素子Ｒ1、抵抗素子Ｒ2、抵抗素子である帰還抵抗Ｒｆの直列接続からなる素子群を有している。抵抗素子Ｒ1側の一端が基準電位に接続されており、帰還抵抗Ｒｆ側の一端はＯＰアンプＵの出力に接続されている。
【０１０４】
抵抗切替部５４では、切替手段としてビデオマルチプレクサ５６を用いている。図６においても、ビデオマルチプレクサ５６中のバッファアンプＵ1、Ｕ2はいずれか一つがイネーブルになり、他はディスエーブルとなる。なお、図６においても、バッファアンプＵ1、Ｕ2の出力イネーブル機能をバッファアンプＵ1、Ｕ2とスイッチＳ1、Ｓ2の直列接続として表記している。素子群中の抵抗素子同士の接続部は各々、ビデオマルチプレクサ５６のバッファアンプＵ1の入力、またはバッファアンプＵ2の入力に接続している。各バッファアンプＵ1、Ｕ2の出力は共通に接続されてＯＰアンプＵの反転入力に接続されている。ＯＰアンプＵの非反転入力には、入力電圧Ｖｉｎが与えられている。
【０１０５】
利得切替回路５２において、Ｓ1：オンのときは利得ＧがＧ＝１＋｛（Ｒｆ＋Ｒ2）÷Ｒ1｝となり、Ｓ2：オンのときは利得ＧがＧ＝１＋｛Ｒｆ÷（Ｒ2＋Ｒ1）｝となる。利得切替回路５２において、抵抗素子Ｒ1、Ｒ2、帰還抵抗Ｒｆの全てが等しい抵抗値Ｒのときを考えると、Ｓ1：オンのときは利得ＧがＧ＝３となり、Ｓ2：オンのときはＧ＝１．５となる。
【０１０６】
図６の利得切替回路５２は非反転増幅回路となっているが、この利得切替回路５２を反転増幅回路に適用することもできるので、これを図７に示す。
【０１０７】
図７の利得切替回路６２は利得切替回路５２と同様の回路構成を備えているが、接続が異なっている。利得切替回路６２において、Ｓ1：オンのときは利得ＧがＧ＝−｛（Ｒｆ＋Ｒ2）÷Ｒ1｝となり、Ｓ2：オンのときは利得ＧがＧ＝−｛Ｒｆ÷（Ｒ2＋Ｒ1）｝となる。利得切替回路６２として、抵抗素子Ｒ1の抵抗値が２Ｒ、抵抗素子Ｒ2の抵抗値がＲ、帰還抵抗Ｒｆの抵抗値が３Ｒのときを考えると、Ｓ1：オンのときは利得ＧがＧ＝−２となり、Ｓ2：オンのときはＧ＝−１となる。
【０１０８】
利得切替回路５２、６２では、ビデオマルチプレクサ５６を用いるので、オンになっているビデオマルチプレクサ５６のバッファアンプＵ1、Ｕ2のいずれかが、ＯＰアンプＵの反転入力や、出力がディスエーブルになっている他のバッファアンプの出力容量を低インピーダンスで駆動しているため、周波数特性にはほとんどピークが生じない。また、ビデオマルチプレクサ５６のどのバッファアンプＵ1、Ｕ2がイネーブルになるかによる周波数特性の変化がほとんどない。さらに、位相補償のための帰還容量Ｃｆは小容量で済むか、不要になる。
【０１０９】
また、ビデオマルチプレクサ５６のバッファアンプＵ1、Ｕ2の入力容量はオン／オフでは変化せず、かつ小容量（一例として１．５〔ｐＦ〕）であるため、利得切替えの設定による周波数特性や帯域の変化が生じない。
【０１１０】
さらに、ビデオマルチプレクサ５６では、半導体スイッチにおける入力電圧による抵抗値変化のような現象は生じないため、半導体スイッチによるひずみ特性の劣化のような現象が生じない。
【０１１１】
図６の利得切替回路５２において、より多段（ｎ段）の切替えを可能とした利得切替回路を図８に示す。また図７の利得切替回路６２において、より多段の切替えを可能とした利得切替回路を図９に示す。図８に示す利得切替回路７２は抵抗切替部７４を備え、利得の切替えが可能な非反転増幅回路を形成している。図９に示す利得切替回路８２は抵抗切替部７４を備え、利得の切替えが可能な反転増幅回路を形成している。利得切替回路７２、８２においても、ビデオマルチプレクサ７６中のバッファアンプＵ1〜Ｕｎはいずれか一つがイネーブルになり、他はディスエーブルとなる。
【０１１２】
図９の利得切替回路８２では、ビデオマルチプレクサ７６中のバッファアンプＵ1〜Ｕｎのいずれがイネーブルになるかによって、入力電圧Ｖｉｎ側から見た抵抗値が変化する。例えば、Ｓ1：オンのときの入力抵抗値はＲ1となり、Ｓ2：オンのときの入力抵抗値は（Ｒ1＋Ｒ2）となる。入力信号源のインピーダンスが十分に低くない場合は、このような抵抗値の変化によって、入力電圧Ｖｉｎが変化することを回避するため、図１０のように、入力電圧Ｖｉｎ側にバッファアンプＵｂが追加される。
【０１１３】
図８〜図１０の利得切替回路７２、８２においては、出力がイネーブルになっているビデオマルチプレクサ７６中の１つのバッファアンプ（Ｕ1〜Ｕｎのいずれか）が、ＯＰアンプＵの反転入力や、ディスエーブルになっているビデオマルチプレクサ７６の他のバッファアンプの出力容量を低インピーダンスで駆動しているため、帰還抵抗Ｒｆに並列に追加する帰還容量Ｃｆは小容量で済む。各抵抗素子の抵抗値の選択やＯＰアンプＵの種類によっては、この容量が不要となる場合もある。この結果、周波数特性にはピークがほとんど生じず、ビデオマルチプレクサ７６のどのバッファアンプがイネーブルになるかによる周波数特性の変化がほとんどない。またビデオマルチプレクサ７６の入出力容量が半導体スイッチの容量よりも小さいため、第１の従来技術よりも広帯域にすることができる。
【０１１４】
また、図８〜図１０の利得切替回路７２、８２において、ビデオマルチプレクサ７６のバッファアンプＵ1〜Ｕｎの入力容量はイネーブル／ディスエーブルでは変化せず、かつ各々が小容量（一例として１．５〔ｐＦ〕）であるため、利得切替えの設定による周波数特性や帯域の変化が生じないようにすることができる。
【０１１５】
さらに、ビデオマルチプレクサでは、半導体スイッチにおける入力電圧による抵抗値変化のような現象は生じないため、半導体スイッチによるひずみ特性の劣化のような現象が生じないようにすることができる。
【０１１６】
第１の実施の形態と第２の実施の形態は、適宜組み合わせて実施することができる。第１の実施の形態と第２の実施の形態を併用した非反転増幅回路による利得切替回路の例を図１１に示す。図１１に示す利得切替回路９２は、抵抗切替部９４を備え、利得の切替えが可能な非反転増幅回路を形成している。抵抗切替部９４は、図１に示す利得切替部１４のように第１および第２の素子群を有し、図６に示す抵抗切替部５４のように、素子群に含まれる抵抗素子の数を３つにしている。なお、各素子群に含まれる抵抗素子の数は、図８に示す抵抗切替部７４のように３つ以上の抵抗素子を直列に接続して素子群を形成することもできるし、素子群やビデオマルチプレクサのバッファアンプの組合せを２組よりも多くすることもできる。また、図１１の利得切替回路９２では非反転増幅回路を示しているが、利得切替回路１２、３２、５２、７２と同様、反転増幅回路に適用したり、さらに入力バッファＵｂを追加することも可能である。
【０１１７】
〔第３の実施の形態〕
【０１１８】
第３の実施の形態は、ビデオマルチプレクサを用いた、さらに別の種類の増幅器の利得切替回路を示している。
【０１１９】
図１２は、第３の実施の形態の利得切替回路を示している。
【０１２０】
図１２に示す利得切替回路１０２は、抵抗切替部１０４を備え、利得の切替えが可能な増幅回路を形成している。抵抗切替部１０４では、抵抗素子Ｒ1〜抵抗素子Ｒｎの直列接続からなる素子群において、抵抗素子Ｒ1側の一端が基準電位に接続されており、抵抗素子Ｒｎ側の一端には入力電圧Ｖｉｎが与えられている、つまり信号の入力に用いられている。
【０１２１】
抵抗切替部１０４では、切替手段としてビデオマルチプレクサ１０６を用いている。ビデオマルチプレクサ１０６中のバッファアンプＵ1〜Ｕｎはいずれか一つがイネーブルになり、他はディスエーブルとなる。なお、図１２においても、バッファアンプＵ1〜Ｕｎの出力イネーブル機能をバッファアンプＵ1〜ＵｎとスイッチＳ1〜Ｓｎの直列接続として表記している。素子群中の抵抗素子同士の接続部や抵抗素子Ｒｎ側の一端は各々、バッファアンプＵ1〜Ｕｎの入力に接続され、バッファアンプＵ1〜Ｕｎの他端は共通に接続されてＯＰアンプＵの非反転入力に接続されている。利得抵抗Ｒｇと帰還抵抗Ｒｆの一端は共通に接続され、ＯＰアンプＵの反転入力に接続されている。利得抵抗Ｒｇの他端は基準電位に接続されており、帰還抵抗Ｒｆの他端はＯＰアンプＵの出力に接続されている。ここでは、ＯＰアンプＵは非反転増幅回路を構成しているが、反転増幅回路とすることもできる。反転増幅回路は入力インピーダンスが低いが、ビデオマルチプレクサ１０６中のバッファアンプがＯＰアンプＵによる増幅回路を低インピーダンスで駆動するので、反転増幅回路とすることができる。（これに対して第３の従来技術では、オンしている半導体スイッチが抵抗として動作するため、ＯＰアンプＵを反転増幅回路とすることは適当でない場合が多い。）
【０１２２】
利得切替回路１０２において、ビデオマルチプレクサ１０６中のバッファアンプＵ1〜ＵｎのうちＵｉ（ｉ＝１〜ｎのいずれか）のみがイネーブルになるとき、利得Ｇは、以下のようになる。
【０１２３】
Ｇ＝｛（Ｒ1＋Ｒ2＋…＋Ｒｉ）÷（Ｒ1＋Ｒ2＋…＋Ｒｎ）｝×｛１＋（Ｒｆ÷Ｒｇ）｝
【０１２４】
図１２の利得切替回路１０２において、ビデオマルチプレクサ１０６にバッファアンプＵ0を追加し、その入力を接地点に接続し、出力を他のバッファアンプＵ1〜Ｕｎの出力の共通接続点に接続すれば、利得Ｇ＝０も選択可能となる。
【０１２５】
図１２の利得切替回路１０２においては、ビデオマルチプレクサ１０６のどのバッファアンプがイネーブルになるかによる周波数特性の変化がほとんどない。またビデオマルチプレクサ１０６の入出力容量が半導体スイッチの容量よりも小さいため、第３の従来技術よりも広帯域にすることができる。
【０１２６】
図１２の利得切替回路１０２において、ビデオマルチプレクサ１０６のバッファアンプＵ1〜Ｕｎの入力容量はイネーブル／ディスエーブルでは変化せず、かつ小容量であるため、利得切替えの設定による周波数特性や帯域の変化がほとんど生じないようにすることができる。
【０１２７】
また、ビデオマルチプレクサ１０６では、半導体スイッチにおける入力電圧による抵抗値変化のような現象は生じないため、第３の従来技術の半導体スイッチによるひずみ特性の劣化のような現象が生じないようにすることができる。
【０１２８】
第３の実施の形態は、第１の実施の形態、第２の実施の形態や、第１の実施の形態と第２の実施の形態の併用と、自由に組み合わせて実施することができる。
【０１２９】
〔第４の実施の形態〕
【０１３０】
第４の実施の形態は、ビデオマルチプレクサを用いた、さらに別の種類の増幅器の利得切替回路を示している。
【０１３１】
図１３は第４の実施の形態に係る基本的な利得切替回路（非反転増幅回路）の一例を示しており、図１４は第４の実施の形態に係る基本的な利得切替回路（反転増幅回路）の一例を示している。
【０１３２】
図１５は第４の実施の形態に係る利得切替回路（非反転増幅回路）の一例を示しており、図１６は第４の実施の形態に係る利得切替回路（反転増幅回路）の一例を示している。
【０１３３】
図１３に示す利得切替回路２０２は抵抗切替部２０４を備え、利得の切替えが可能な非反転増幅回路を形成している。
【０１３４】
抵抗切替部２０４では、抵抗素子である利得抵抗Ｒｇ1と利得抵抗Ｒｇ2の並列接続からなる素子群において、利得抵抗Ｒｇ1の一端がビデオマルチプレクサ２０６のバッファアンプＵｇ1（出力イネーブル機能を含む）を介して基準電位に接続されており、利得抵抗Ｒｇ2の一端がビデオマルチプレクサ２０６のバッファアンプＵｇ2（出力イネーブル機能を含む）を介して基準電位に接続されている。バッファアンプＵｇ1とバッファアンプＵｇ2の入力は、共通に接続されている。利得抵抗Ｒｇ1と利得抵抗Ｒｇ2の他端は共通に接続されて、ＯＰアンプＵの反転入力に接続されている。
【０１３５】
また、抵抗素子である帰還抵抗Ｒｆ1と帰還抵抗Ｒｆ2の並列接続からなる素子群において、帰還抵抗Ｒｆ1の一端がビデオマルチプレクサ２０６のバッファアンプＵｆ1（出力イネーブル機能を含む）を介してＯＰアンプＵの出力に接続されており、帰還抵抗Ｒｆ2の一端がビデオマルチプレクサ２０６のバッファアンプＵｆ2（出力イネーブル機能を含む）を介してＯＰアンプＵの出力に接続されている。バッファアンプＵｆ1とバッファアンプＵｆ2の入力は、共通に接続されている。帰還抵抗Ｒｆ1と帰還抵抗Ｒｆ2の他端は共通に接続されて、ＯＰアンプＵの反転入力に接続されている。
【０１３６】
ＯＰアンプＵの非反転入力には、入力電圧Ｖｉｎが与えられている。
【０１３７】
抵抗切替部２０４では、切替手段としてビデオマルチプレクサ２０６を用いている。
【０１３８】
図１３において、ビデオマルチプレクサ２０６中のバッファアンプＵｇ1、Ｕｇ2のイネーブル／ディスエーブルには制約はなく、両方イネーブル、一方がイネーブル、両方ディスエーブルのいずれかの状態に制御する。バッファアンプＵｆ1、Ｕｆ2は、両方イネーブル、一方がイネーブルのいずれかの状態に制御する。
【０１３９】
第４の実施の形態では、２対１や４対１のようにその出力が一括接続されているビデオマルチプレクサではなく、各々独立したビデオマルチプレクサ２０６が用いられる。ビデオマルチプレクサ２０６は各々独立してイネーブル／ディスエーブルを選択することができる。出力イネーブル／ディスエーブル切替機能を有するバッファアンプは、第４の実施の形態におけるビデオマルチプレクサに好適である。
【０１４０】
第４の実施の形態ではこのように、ビデオマルチプレクサのイネーブル／ディスエーブルの選択の自由度が高いため、少ないビデオマルチプレクサによって多種類の利得切替えが可能になるという特徴を有している。
【０１４１】
なお、図１３においても、バッファアンプＵｇ1、Ｕｇ2、Ｕｆ1、Ｕｆ2の出力イネーブル機能をバッファアンプＵｇ1、Ｕｇ2、Ｕｆ1、Ｕｆ2とスイッチＳｇ1、Ｓｇ2、Ｓｆ1、Ｓｆ2の直列接続として表記しており、バッファアンプＵｇ1、Ｕｇ2、Ｕｆ1、Ｕｆ2の出力がイネーブルとなることをスイッチＳｇ1、Ｓｇ2、Ｓｆ1、Ｓｆ2のオンと称し、ディスエーブルになることをオフと称する。
【０１４２】
利得切替回路２０２において、スイッチＳｇ1とスイッチＳｇ2の両方がオンのときの等価的な利得抵抗ＲｇはＲｇ＝１÷｛（１÷Ｒｇ1）＋（１÷Ｒｇ2）｝となり、Ｓｇ1のみがオンのときＲｇ＝Ｒｇ1となり、Ｓｇ2のみがオンのときＲｇ＝Ｒｇ2となり、Ｓｇ1とＳｇ2の両方がオフのときはＲｇ＝∞となる。また、Ｓｆ1とＳｆ2の両方がオンのときの等価的な帰還抵抗ＲｆはＲｆ＝１÷｛（１÷Ｒｆ1）＋（１÷Ｒｆ2）｝となり、Ｓｆ1のみがオンのときＲｆ＝Ｒｆ1となり、Ｓｆ2のみがオンのときＲｆ＝Ｒｆ2となる。利得切替回路２０２の利得Ｇは、Ｇ＝１＋（Ｒｆ÷Ｒｇ）となる。（Ｓｇ1とＳｇ2の両方がオフのとき、利得切替回路２０２の利得Ｇは１となる。）
【０１４３】
図１３の利得切替回路２０２は非反転増幅回路となっているが、この利得切替回路２０２を反転増幅回路に適用することもできるので、これを図１４に示す。
【０１４４】
図１４の利得切替回路２１２は利得切替回路２０２と同様の回路構成を備えているが、接続が異なっている。
【０１４５】
図１４の抵抗切替部２０４では、抵抗素子である利得抵抗Ｒｇ1と利得抵抗Ｒｇ2の並列接続からなる素子群において、利得抵抗Ｒｇ1の一端にビデオマルチプレクサ２０６のバッファアンプＵｇ1（出力イネーブル機能を含む）を介して入力電圧Ｖｉｎが与えられており、利得抵抗Ｒｇ2の一端にビデオマルチプレクサ２０６のバッファアンプＵｇ2（出力イネーブル機能を含む）を介して入力電圧Ｖｉｎが与えられている。利得抵抗Ｒｇ1と利得抵抗Ｒｇ2の他端は共通に接続されて、ＯＰアンプＵの反転入力に接続されている。
【０１４６】
また、抵抗素子である帰還抵抗Ｒｆ1と帰還抵抗Ｒｆ2の並列接続からなる素子群において、帰還抵抗Ｒｆ1の一端がビデオマルチプレクサ２０６のバッファアンプＵｆ1（出力イネーブル機能を含む）を介してＯＰアンプＵの出力に接続されており、帰還抵抗Ｒｆ2の一端がビデオマルチプレクサ２０６のバッファアンプＵｆ2（出力イネーブル機能を含む）を介してＯＰアンプＵの出力に接続されている。帰還抵抗Ｒｆ1と帰還抵抗Ｒｆ2の他端は共通に接続されて、ＯＰアンプＵの反転入力に接続されている。
【０１４７】
ＯＰアンプＵの非反転入力は、基準電位に接続されている。
【０１４８】
利得切替回路２１２において、Ｓｇ1とＳｇ2の両方がオンのとき等価的な利得抵抗ＲｇはＲｇ＝１÷｛（１÷Ｒｇ1）＋（１÷Ｒｇ2）｝となり、Ｓｇ1のみがオンのときＲｇ＝Ｒｇ1となり、Ｓｇ2のみがオンのときＲｇ＝Ｒｇ2となる。また、Ｓｆ1とＳｆ2の両方がオンのとき等価的な帰還抵抗ＲｆはＲｆ＝１÷｛（１÷Ｒｆ1）＋（１÷Ｒｆ2）｝となり、Ｓｆ1のみがオンのときＲｆ＝Ｒｆ1となり、Ｓｆ2のみがオンのときＲｆ＝Ｒｆ2となる。利得切替回路２１２の利得Ｇは、Ｇ＝−（Ｒｆ÷Ｒｇ）となる。（Ｓｇ1とＳｇ2の両方がオフのときは、利得切替回路２１２の利得Ｇは０となる。）
【０１４９】
利得切替回路２０２、２１２では、ビデオマルチプレクサ２０６を用いるので、オンになっているビデオマルチプレクサ２０６のバッファアンプが抵抗素子の一端を低インピーダンスで駆動するため、周波数特性にはほとんどピークが生じない。また、ビデオマルチプレクサ２０６のどのバッファアンプがイネーブルになるかによる周波数特性の変化はほとんどない。
【０１５０】
また、ビデオマルチプレクサ２０６では、半導体スイッチにおける入力電圧による抵抗値変化のような現象は生じないため、半導体スイッチによるひずみ特性の劣化のような現象が生じない。また、周囲温度等に起因する利得変化も小さい。
【０１５１】
図１３の利得切替回路２０２において、より多段（ｎ段）の切替えを可能とした利得切替回路を、図１５に示す。また図１４の利得切替幅回路２１２において、より多段の切替えを可能とした利得切替回路を、図１６に示す。図１５に示す利得切替回路２２２は抵抗切替部２２４を備え、利得の切替えが可能な非反転増幅回路を形成している。図１６に示す利得切替回路２３２は抵抗切替部２２４を備え、利得の切替えが可能な反転増幅回路を形成している。
【０１５２】
利得切替回路２２２において、ビデオマルチプレクサ２２６中のバッファアンプＵｇ1〜Ｕｇｎのイネーブル／ディスエーブルの選択は自由である。（全てディスエーブルとした場合の利得Ｇは１となる。）バッファアンプＵｆ1〜Ｕｆｎの１以上をイネーブルに制御する。
【０１５３】
利得切替回路２３２において、ビデオマルチプレクサ２２６中のバッファアンプＵｇ1〜Ｕｇｎの１以上をイネーブルに制御する。（全てをディスエーブルに制御すると、利得切替回路２３２の利得Ｇは０となる。）同様に、バッファアンプＵｆ1〜Ｕｆｎの１以上をイネーブルに制御する。
【０１５４】
利得切替回路２３２では、ビデオマルチプレクサ２２６中のバッファアンプＵｇ1〜Ｕｇｎのイネーブル／ディスエーブルの状態によらず、入力電圧Ｖｉｎ側から見た抵抗値は変化せず、かつ高インピーダンスである。よって、第４の従来技術等のように、入力電圧Ｖｉｎ側にバッファアンプＵｂを追加する必要がない。
【０１５５】
図１５、図１６の利得切替回路２２２、２３２においても、出力がイネーブルになっているビデオマルチプレクサ２２６中のバッファアンプが抵抗素子の一端を低インピーダンスで駆動するので、周波数特性にはピークがほとんど生じない。また、ビデオマルチプレクサ２２６のどのバッファアンプがイネーブルになるかによる周波数特性の変化がほとんどない。
【０１５６】
また、ビデオマルチプレクサ２２６では、半導体スイッチにおける入力電圧による抵抗値変化のような現象は生じないため、半導体スイッチによるひずみ特性の劣化のような現象が生じない。また、周囲温度等に起因する利得変化も小さい。
【０１５７】
第４の実施の形態は、第３の実施の形態と、適宜組み合わせて実施することができる。
【０１５８】
ここでは、利得抵抗側、帰還抵抗側の両方にビデオマルチプレクサを設ける例を示したが、いずれか一方のみにビデオマルチプレクサを設けることもでき、このようなものも第４の実施の形態に含まれる。
【０１５９】
〔第１の従来技術を用いた利得切替回路と第１の実施の形態の対比〕
【０１６０】
第１の従来技術を用いた利得切替回路と第１の実施の形態をシミュレーションによって対比することにより、第１の実施の形態の効果を示す。
【０１６１】
図１７には第１の従来技術を用いた利得切替回路（非反転増幅回路）のシミュレーション回路の例を示し、図１８には第１の実施の形態の利得切替回路（非反転増幅回路）のシミュレーション回路の例を示す。図１９には図１７の回路のシミュレーション結果を示し、図２０には図１８の回路のシミュレーション結果を示す。
【０１６２】
図２１には第１の従来技術を用いた利得切替回路（反転増幅回路）のシミュレーション回路の例を示し、図２２には第１の実施の形態の利得切替回路（反転増幅回路）のシミュレーション回路の例を示す。図２３には図２１の回路のシミュレーション結果を示し、図２４には図２２の回路のシミュレーション結果を示す。
【０１６３】
以下、図１７に示すシミュレーション回路３１２、図１８に示すシミュレーション回路１１２、図２１に示すシミュレーション回路３２２および図２２に示すシミュレーション回路１２２における素子等の各定数を示すが、これらはいずれも、代表的な一例である。
【０１６４】
シミュレーション回路１１２、１２２、３１２、３２２のＯＰアンプＵは、開ループ利得１２０〔ｄＢ〕、ゲイン・バンド幅積１００〔ＭＨｚ〕の電圧帰還型ＯＰアンプとした。シミュレーション回路１１２、１２２のビデオマルチプレクサ１１６のバッファアンプＵ1〜Ｕ4は各々、利得１、帯域幅５００〔ＭＨｚ〕とした。また、シミュレーション回路３１２、３２２の半導体スイッチＳ1〜Ｓ4各々のオン時の抵抗値は、１００〔Ω〕とした。
【０１６５】
シミュレーション回路１１２、１２２、３１２、３２２では、抵抗素子Ｒｇ1〜Ｒｇ4の抵抗値は全て５００〔Ω〕とし、抵抗素子Ｒｆ1の抵抗値は２０００〔Ω〕、抵抗素子Ｒｆ2は１０００〔Ω〕、抵抗素子Ｒｆ3は５００〔Ω〕、抵抗素子Ｒｆ4は２５０〔Ω〕とした。（ここで、例えば抵抗素子Ｒｆ1を抵抗素子Ｒｇ1〜Ｒｇ4と同一種類の５００〔Ω〕の抵抗素子４本の直列接続、抵抗素子Ｒｆ2を２本の直列接続、抵抗素子Ｒｆ4を２本の並列接続のように、全て同一種類の抵抗素子で構成すれば、抵抗素子Ｒｇ1〜Ｒｇ4やＲｆ1〜Ｒｆ4の抵抗温度係数が全て一致するため、増幅器の利得の温度係数を小さくすることができる。）
【０１６６】
シミュレーション回路３１２、３２２において、容量ＣS1〜ＣS4は全て１０〔ｐＦ〕、容量Ｃｄは２０〔ｐＦ〕とした。なお容量ＣS1〜ＣS4は半導体スイッチＳ1〜Ｓ4を構成する各ＦＥＴ（電界効果トランジスタ）のソース容量であり、容量Ｃｄは４つの半導体スイッチＳ1〜Ｓ4のＦＥＴのドレイン容量の総和である。
【０１６７】
シミュレーション回路１１２、１２２では、容量ＣS01〜ＣS04は全て１．５〔ｐＦ〕、容量Ｃｄ0は３〔ｐＦ〕とした。なお容量ＣS01〜ＣS04はビデオマルチプレクサ１１６のバッファアンプＵ1〜Ｕ4各々の入力容量であり、容量Ｃｄ0は４個のバッファアンプＵ1〜Ｕ4の出力容量の総和である。
【０１６８】
図１９、図２０に示すシミュレーション結果や図２３、図２４に示すシミュレーション結果では、周波数１００〔ｋＨｚ〕における利得Ｇを０〔ｄＢ〕として正規化した周波数特性を示している。Ｔ1で示すトレース（記録線）はＳ1：オンのときの周波数特性、Ｔ2で示すトレースはＳ2：オンのときの周波数特性、Ｔ3で示すトレースはＳ3：オンのときの周波数特性、Ｔ4で示すトレースはＳ4：オンのときの周波数特性を示している。
【０１６９】
図１９に示すシミュレーション結果において、実線はシミュレーション回路３１２の帰還容量Ｃｆが０〔ｐＦ〕のときの周波数特性を示し、点線は帰還容量Ｃｆが５０〔ｐＦ〕のときの周波数特性を示している。帰還容量Ｃｆの容量値（５０〔ｐＦ〕）は、周波数特性にピークを生じない値を選択した。
【０１７０】
まず第１の従来技術を用いたシミュレーション回路３１２では、図１９に示すように、帰還容量Ｃｆが０〔ｐＦ〕のときは、どの利得に切り替えても周波数特性がピークを有しており、安定した増幅が困難であることがわかる。帰還容量Ｃｆを５０〔ｐＦ〕として周波数特性がピークを持たないようにすると、選択した利得によっては平坦な周波数特性が得られないことがわかる。
【０１７１】
これに対して第１の実施の形態に係るシミュレーション回路１１２では、図２０に示すように、帰還容量なしで安定した増幅を実現していることがわかる。
【０１７２】
図２３に示すシミュレーション結果において、実線はシミュレーション回路３２２の帰還容量Ｃｆが０〔ｐＦ〕のときの周波数特性を示し、点線は帰還容量Ｃｆが２０〔ｐＦ〕のときの周波数特性を示している。帰還容量Ｃｆの容量値（２０〔ｐＦ〕）は、周波数特性にピークを生じない値を選択した。
【０１７３】
まず第１の従来技術を用いたシミュレーション回路３２２では、図２３に示すように、帰還容量Ｃｆが０〔ｐＦ〕のときは、どの利得に切り替えても周波数特性がピークを有しており、安定した増幅が困難であることがわかる。帰還容量Ｃｆを２０〔ｐＦ〕とすれば、平坦な周波数特性が得られている。
【０１７４】
これに対して第１の実施の形態に係るシミュレーション回路１２２では、図２４に示すように、周波数特性がピークを有しておらず、帰還容量なしで安定した増幅を実現していることがわかる。さらに図２４のシミュレーション結果によれば、シミュレーション回路１２２では、第１の従来技術を用いたシミュレーション回路３２２に対して数倍の広帯域となることがわかる。
【０１７５】
シミュレーションによって確認された第１の従来技術を用いた利得切替回路に対する第１の実施の形態の効果は、以下の通りである。
【０１７６】
(1) 第１の実施の形態では、帰還容量がなくても、第１の従来技術を用いた利得切替回路のような大きな周波数特性のピークを生じず、平坦な周波数特性が得られる。
【０１７７】
(2) 第１の実施の形態に係る反転増幅回路では、第１の従来技術を用いた利得切替回路に対して数倍の広帯域となる。
【０１７８】
〔第２の従来技術を用いた利得切替回路と第２の実施の形態の対比〕
【０１７９】
第２の従来技術を用いた利得切替回路と第２の実施の形態をシミュレーションによって対比することにより、第２の実施の形態の効果を示す。
【０１８０】
図２５には第２の従来技術を用いた利得切替回路（非反転増幅回路）のシミュレーション回路の例を示し、図２６には第２の実施の形態の利得切替回路（非反転増幅回路）のシミュレーション回路の例を示す。図２７には図２５の回路のシミュレーション結果を示し、図２８には図２６の回路のシミュレーション結果を示す。
【０１８１】
図２９には第２の従来技術を用いた利得切替回路（反転増幅回路）のシミュレーション回路の例を示し、図３０には第２の実施の形態の利得切替回路（反転増幅回路）のシミュレーション回路の例を示す。図３１には図２９の回路のシミュレーション結果を示し、図３２には図３０の回路のシミュレーション結果を示す。
【０１８２】
以下、図２５に示すシミュレーション回路３３２、図２６に示すシミュレーション回路１３２、図２９に示すシミュレーション回路３４２および図３０に示すシミュレーション回路１４２における素子等の各定数を示すが、これらはいずれも、代表的な一例である。
【０１８３】
シミュレーション回路１３２、１４２、３３２、３４２のＯＰアンプＵは、開ループ利得１２０〔ｄＢ〕、ゲイン・バンド幅積１００〔ＭＨｚ〕の電圧帰還型ＯＰアンプとした。シミュレーション回路１３２、１４２のビデオマルチプレクサ１３６のバッファアンプＵ1〜Ｕ4は各々、利得１、帯域幅５００〔ＭＨｚ〕とした。また、シミュレーション回路３３２、３４２の半導体スイッチＳ1〜Ｓ4各々のオン時の抵抗値は、１００〔Ω〕とした。
【０１８４】
シミュレーション回路３３２、３４２では、抵抗素子Ｒ1〜Ｒ4とＲｆの抵抗値は全て５００〔Ω〕、容量ＣS1〜ＣS4は全て１０〔ｐＦ〕、容量Ｃｄは２０〔ｐＦ〕とした。
【０１８５】
シミュレーション回路１３２、１４２でも、抵抗素子Ｒ1〜Ｒ4とＲｆの抵抗値は全て５００〔Ω〕とした。また容量ＣS01〜ＣS04は全て１．５〔ｐＦ〕、容量Ｃｄ0は３〔ｐＦ〕とした。
【０１８６】
図２７、図２８に示すシミュレーション結果や図３１、図３２に示すシミュレーション結果では、周波数１００〔ｋＨｚ〕における利得Ｇを０〔ｄＢ〕として正規化した周波数特性を示している。Ｔ1で示すトレースはＳ1：オンのときの周波数特性、Ｔ2で示すトレースはＳ2：オンのときの周波数特性、Ｔ3で示すトレースはＳ3：オンのときの周波数特性、Ｔ4で示すトレースはＳ4：オンのときの周波数特性を示している。
【０１８７】
図２７に示すシミュレーション結果において、実線はシミュレーション回路３３２の帰還容量Ｃｆが０〔ｐＦ〕のときの周波数特性を示し、点線は帰還容量Ｃｆが１３５〔ｐＦ〕のときの周波数特性を示している。図２８に示すシミュレーション結果において、実線はシミュレーション回路１３２の帰還容量Ｃｆ0が０〔ｐＦ〕のときの周波数特性を示し、点線は帰還容量Ｃｆ0が１２〔ｐＦ〕のときの周波数特性を示している。なお帰還容量Ｃｆの容量値（１３５〔ｐＦ〕）および帰還容量Ｃｆ0の容量値（１２〔ｐＦ〕）は共に、周波数特性にピークを生じない値を選択した。
【０１８８】
まず第２の従来技術を用いたシミュレーション回路３３２では、図２７に示すように、帰還容量Ｃｆが０〔ｐＦ〕のときは、どの利得に切り替えても周波数特性が大きなピークを有しており、安定した増幅が困難であることがわかる。帰還容量Ｃｆを１３５〔ｐＦ〕として周波数特性がピークを持たないようにすると、選択した利得によっては平坦な周波数特性が得られないことがわかる。
【０１８９】
これに対して第２の実施の形態に係るシミュレーション回路１３２では、図２８に示すように、帰還容量Ｃｆ0が０〔ｐＦ〕のときは、切り替えた利得によっては周波数特性にピークを有する場合もあるが、ピークは第２の従来技術を用いたシミュレーション回路３３２に対して格段に小さく、安定した増幅を実現していることがわかる。また、帰還容量Ｃｆ0を１２〔ｐＦ〕として周波数特性がピークを持たないようにすると、より平坦な周波数特性が得られている。また、帰還容量Ｃｆ0の有無による周波数特性の変化が小さいことがわかる。
【０１９０】
図３１に示すシミュレーション結果において、実線はシミュレーション回路３４２の帰還容量Ｃｆが０〔ｐＦ〕のときの周波数特性を示し、点線は帰還容量Ｃｆが１２〔ｐＦ〕のときの周波数特性を示している。図３２に示すシミュレーション結果において、実線はシミュレーション回路１４２の帰還容量Ｃｆ0が０〔ｐＦ〕のときの周波数特性を示し、点線は帰還容量Ｃｆ0が５〔ｐＦ〕のときの周波数特性を示している。なお帰還容量Ｃｆの容量値（１２〔ｐＦ〕）、帰還容量Ｃｆ0の容量値（５〔ｐＦ〕）は共に、周波数特性にピークを生じない値を選択した。
【０１９１】
まず第２の従来技術を用いたシミュレーション回路３４２では、図３１に示すように、帰還容量Ｃｆが０〔ｐＦ〕のときは、どの利得に切り替えても周波数特性が大きなピークを有しており、安定した増幅が困難であることがわかる。帰還容量Ｃｆを１２〔ｐＦ〕とすれば、平坦な周波数特性が得られている。
【０１９２】
これに対して第２の実施の形態に係るシミュレーション回路１４２では、図３２に示すように、帰還容量Ｃｆ0が０〔ｐＦ〕のときは、切り替えた利得によっては周波数特性にピークを有する場合もあるが、ピークは第２の従来技術を用いたシミュレーション回路３４２に対して格段に小さく、安定した増幅を実現していることがわかる。また、帰還容量Ｃｆ0を５〔ｐＦ〕として周波数特性がピークを持たないようにすると、より平坦な周波数特性が得られている。また、帰還容量Ｃｆ0の有無による周波数特性の変化が小さいことがわかる。さらに図３２のシミュレーション結果によれば、シミュレーション回路１４２では、第２の従来技術を用いたシミュレーション回路３４２に対して数倍の広帯域となることがわかる。
【０１９３】
シミュレーションによって確認された第２の従来技術を用いた利得切替回路に対する第２の実施の形態の効果は、以下の通りである。
【０１９４】
(1) 第２の実施の形態では、帰還容量が小さくても、第２の従来技術を用いた利得切替回路のような大きな周波数特性のピークを生じない。
【０１９５】
(2) 第２の実施の形態に係る反転増幅回路では、第２の従来技術を用いた利得切替回路に対して数倍の広帯域が得られる。
【０１９６】
(3) 第２の実施の形態では、帰還容量の有無に関わらず、平坦な周波数特性が得られる。
【０１９７】
(4) 第２の実施の形態では、帰還容量の有無による周波数特性の変化が小さい。
【０１９８】
〔第３の従来技術を用いた利得切替回路と第３の実施の形態の対比〕
【０１９９】
第３の従来技術を用いた利得切替回路と第３の実施の形態をシミュレーションによって対比することにより、第３の実施の形態の効果を示す。
【０２００】
図３３には第３の従来技術の減衰器を用いた利得切替回路のシミュレーション回路の例を示し、図３４には第３の実施の形態の利得切替回路のシミュレーション回路の例を示す。図３５には図３３の回路のシミュレーション結果を示し、図３６には図３４の回路のシミュレーション結果を示す。
【０２０１】
以下、図３３に示すシミュレーション回路３５２、図３４に示すシミュレーション回路１５２の素子の各定数を示すが、これらはいずれも、代表的な一例である。
【０２０２】
シミュレーション回路１５２、３５２のＯＰアンプＵは、開ループ利得１２０〔ｄＢ〕、ゲイン・バンド幅積１００〔ＭＨｚ〕の電圧帰還型ＯＰアンプとした。シミュレーション回路１５２のビデオマルチプレクサ１５６のバッファアンプＵ1〜Ｕ4は各々、利得１、帯域幅５００〔ＭＨｚ〕とした。また、シミュレーション回路３５２の半導体スイッチＳ1〜Ｓ4各々のオン時の抵抗値は、１００〔Ω〕とした。
【０２０３】
シミュレーション回路１５２、３５２では、抵抗素子Ｒ1〜Ｒ4、Ｒｇ、Ｒｆの抵抗値は全て５００〔Ω〕とした。
【０２０４】
シミュレーション回路３５２において、容量ＣS1〜ＣS4は全て１０〔ｐＦ〕、容量Ｃｄは２０〔ｐＦ〕とした。
【０２０５】
シミュレーション回路１５２において、容量ＣS01〜ＣS04は全て１．５〔ｐＦ〕、容量Ｃｄ0は３〔ｐＦ〕とした。
【０２０６】
図３５と図３６に示すシミュレーション結果では、周波数１００〔ｋＨｚ〕における利得Ｇを０〔ｄＢ〕として正規化した周波数特性を示している。Ｔ1で示すトレースはＳ1：オンのときの周波数特性、Ｔ2で示すトレースはＳ2：オンのときの周波数特性、Ｔ3で示すトレースはＳ3：オンのときの周波数特性、Ｔ4で示すトレースはＳ4：オンのときの周波数特性を示している。
【０２０７】
まず第３の従来技術の減衰器を用いたシミュレーション回路３５２では、図３５に示すように、Ｔ1〜Ｔ4で示すトレースのいずれも平坦な周波数特性は得られているものの、平坦な利得が得られる帯域幅の差が大きいことがわかる。したがって、半導体スイッチＳ1〜Ｓ4を切り替える際に、平坦な利得が得られる帯域の変化が大きくなる。特に、Ｓ1：オンのときに平坦な利得が得られる帯域の変化が大きくなる。
【０２０８】
これに対して第３の実施の形態に係るシミュレーション回路１５２では、図３６に示すように、いずれも平坦な周波数特性が得られている上、平坦な利得が得られる帯域幅の差が小さいことがわかる。したがって、半導体スイッチＳ1〜Ｓ4を切り替えた時に、平坦な利得が得られる帯域の変化が第３の従来技術を用いたシミュレーション回路３５２に対して小さくなる。また、シミュレーション回路１５２では、第３の従来技術を用いたシミュレーション回路３５２に対して数倍の広帯域となることがわかる。
【０２０９】
シミュレーションによって確認された第３の従来技術を用いた利得切替回路に対する第３の実施の形態の効果は、以下の通りである。
【０２１０】
(1) 第３の実施の形態では、第３の従来技術を用いた利得切替回路に対して数倍の広帯域が得られる。
【０２１１】
(2) 第３の実施の形態では、増幅回路の利得を切り替えた時に、平坦な利得が得られる帯域の変化が小さい。
【０２１２】
〔第４の従来技術を用いた利得切替回路と第４の実施の形態の対比〕
【０２１３】
第４の従来技術を用いた利得切替回路と第４の実施の形態をシミュレーションによって対比することにより、第４の実施の形態の効果を示す。
【０２１４】
図３７には第４の従来技術を用いた利得切替回路（非反転増幅回路）のシミュレーション回路の例を示し、図３８には第４の実施の形態の利得切替回路（非反転増幅回路）のシミュレーション回路の例を示す。図３９には図３７の回路のシミュレーション結果を示し、図４０には図３８の回路のシミュレーション結果を示す。
【０２１５】
図４１には第４の従来技術を用いた利得切替回路（反転増幅回路）のシミュレーション回路の例を示し、図４２には第４の実施の形態の利得切替回路（反転増幅回路）のシミュレーション回路の例を示す。図４３には図４１の回路のシミュレーション結果を示し、図４４には図４２の回路のシミュレーション結果を示す。
【０２１６】
以下、図３７に示すシミュレーション回路３７２、図３８に示すシミュレーション回路１７２、図４１に示すシミュレーション回路３８２および図４２に示すシミュレーション回路１８２における素子等の各定数を示すが、これらはいずれも、代表的な一例である。
【０２１７】
シミュレーション回路１７２、１８２、３７２、３８２のＯＰアンプＵは、開ループ利得１２０〔ｄＢ〕、ゲイン・バンド幅積１００〔ＭＨｚ〕の電圧帰還型ＯＰアンプとした。シミュレーション回路１７２、１８２のビデオマルチプレクサ１７６のバッファアンプＵｇ1、Ｕｇ2、Ｕｆ1、Ｕｆ2は各々、利得１、帯域幅５００〔ＭＨｚ〕とした。また、シミュレーション回路３７２、３８２の半導体スイッチＳｇ1、Ｓｇ2、Ｓｆ1、Ｓｆ2各々のオン時の抵抗値は、１００〔Ω〕とした。
【０２１８】
シミュレーション回路３７２、３８２では、抵抗素子Ｒｇ1、Ｒｇ2の抵抗値は４００〔Ω〕とし、半導体スイッチＳｇ1、Ｓｇ2との抵抗値の和（すなわち、等価的な抵抗値）が５００〔Ω〕となるようにした。また抵抗素子Ｒｆ1、Ｒｆ2の抵抗値は９００〔Ω〕とし、半導体スイッチＳｆ1、Ｓｆ2との抵抗値の和（等価的な抵抗値）が１〔ｋΩ〕となるようにした。半導体スイッチの容量ＣSg1、Ｃｄg1、ＣSg2、Ｃｄg2、ＣSf1、Ｃｄf1、ＣSf2、Ｃｄf2は全て１０〔ｐＦ〕とした。
【０２１９】
シミュレーション回路１７２、１８２では、抵抗素子Ｒｇ1、Ｒｇ2の抵抗値は５００〔Ω〕、Ｒf1、Ｒf2の抵抗値は１〔ｋΩ〕とした。また容量ＣSg01、ＣSg02、ＣSf01、ＣSf02は１．５〔ｐＦ〕、容量Ｃｄg01、Ｃｄg02、Ｃｄf01、Ｃｄf02は１〔ｐＦ〕とした。
【０２２０】
図３９、図４０に示すシミュレーション結果や図４３、図４４に示すシミュレーション結果では、周波数１００〔ｋＨｚ〕における利得Ｇを０〔ｄＢ〕として正規化した周波数特性を示している。
【０２２１】
図３９、図４０に示すシミュレーション結果におけるＴ1〜Ｔ4で示すトレースは各々、表１に示す条件での各回路の周波数特性を示し、図４３、図４４に示すシミュレーション結果におけるＴ1〜Ｔ4で示すトレースは各々、表２に示す条件での各回路の周波数特性を示す。
【０２２２】
【表１】
0006755467.tif 000002
【０２２３】
【表２】
0006755467.tif 000003
【０２２４】
表１および表２において、「○」は半導体スイッチのオンやビデオマルチプレクサのバッファアンプ出力のイネーブルを示し、「×」は半導体スイッチのオフやビデオマルチプレクサのバッファアンプ出力のディスエーブルを示す。
【０２２５】
Ｒｇは各条件における等価的な利得抵抗の値を示し、Ｒｆは各条件における等価的な帰還抵抗の値を示し、Ｇは各条件における利得を示す。
【０２２６】
まず第４の従来技術を用いたシミュレーション回路３７２では、図３９に示すように、Ｔ3とＴ4のとき（すなわち等価的な利得抵抗が２５０〔Ω〕時）には周波数特性にはピークを有していないが、Ｔ1とＴ2とき（すなわち等価的な利得抵抗が５００〔Ω〕時）には周波数特性にピークを有しており、回路の安定性が損なわれていることがわかる。等価的な利得抵抗をより大きくした場合には、より大きなピークを有することになろう。
【０２２７】
これに対して第４の実施の形態に係るシミュレーション回路１７２では、図４０に示すように、周波数特性にピークを有しておらず、安定した増幅を実現していることがわかる。
【０２２８】
第４の従来技術を用いたシミュレーション回路３８２では、図４３に示すように、Ｔ3とＴ4のとき（すなわち等価的な利得抵抗が２５０〔Ω〕時）には周波数特性にはピークを有していないが、Ｔ1とＴ2のとき（すなわち等価的な利得抵抗が５００〔Ω〕時）には周波数特性にピークを有しており、回路の安定性が損なわれていることがわかる。等価的な利得抵抗をより大きくした場合には、より大きなピークを有することになろう。
【０２２９】
これに対して第４の実施の形態に係るシミュレーション回路１８２では、図４４に示すように、周波数特性にピークを有しておらず、安定した増幅を実現していることがわかる。
【０２３０】
シミュレーションによって確認された第４の従来技術を用いた利得切替回路に対する第４の実施の形態の効果は、以下の通りである。
【０２３１】
(1) 第４の実施の形態では、第４の従来技術を用いた利得切替回路のような周波数特性のピークを生じない。
【０２３２】
(2) 第４の実施の形態では、利得切替えの選択に関わらず、平坦な周波数特性が得られる。
【０２３３】
〔他の回路への応用〕
【０２３４】
第１の実施の形態〜第４の実施の形態では、利得の切替えが可能な利得切替回路および増幅手段を備えた電子回路として非反転増幅回路または反転増幅回路による増幅器を例示したが、本発明の技術は、ＯＰアンプなどの増幅手段を用いる電子回路において広く用いることができる。
【０２３５】
例えば、差動増幅回路、電流増幅回路（電流−電圧変換回路）や電圧−電流変換回路などの増幅器に適用し、これらの増幅器の利得を切り替えることができる。また、反転型加算回路、加減算回路、積分回路、微分回路などの演算回路に適用し、利得や演算定数を切り替えることができる。さらに、アクティブフィルタなどのフィルタ回路に適用し、カットオフ周波数やＱ（Quality factor、選択度）などを切り替えることができ、発振回路に適用し、発振周波数などを切り替えることができるなど、幅広い技術に適用することができる。
【０２３６】
以下、第１の実施の形態〜第４の実施の形態の技術を増幅手段を用いる電子回路に適用した例を、第１の従来技術〜第４の従来技術を増幅手段を用いる電子回路に適用した場合と対比しながら説明する。
【０２３７】
図８９に示す差動増幅回路に第１の実施の形態〜第４の実施の形態のいずれかの技術を適用して、利得抵抗Ｒｇ−、Ｒｇ＋および帰還抵抗Ｒｆ−、Ｒｆ＋の抵抗値を切替え可能にすることができる。図８９において、利得抵抗Ｒｇ−とＲｇ＋は同じ抵抗値Ｒｇであり、帰還抵抗Ｒｆ−とＲｆ＋も同じ抵抗値Ｒｆであるとする。この場合、出力電圧Ｖｏｕｔは、Ｖｏｕｔ＝（Ｒｆ÷Ｒｇ）｛（Ｖｉｎ＋）−（Ｖｉｎ−）｝となる。
【０２３８】
以下、符号末尾の「−」または「＋」を除いた符号が同じ抵抗（例えばＲｆ1−とＲｆ1＋）は同じ抵抗値であることとし、符号末尾の「−」または「＋」は除いた符号が同じスイッチ（例えばＳ2−とＳ2＋）は連動してオンオフすることとする。
【０２３９】
第１の従来技術を適用した差動増幅回路の利得切替回路を図４５に、第１の実施の形態の技術を適用した差動増幅回路の利得切替回路を図４６に、第２の従来技術を適用した差動増幅回路の利得切替回路を図４７に、第２の実施の形態の技術を適用した差動増幅回路の利得切替回路を図４８に、第３の従来技術を適用した差動増幅回路の利得切替回路を図４９に、第３の実施の形態の技術を適用した差動増幅回路の利得切替回路を図５０に、第４の従来技術を適用した差動増幅回路の利得切替回路を図５１に、第４の実施の形態の技術を適用した差動増幅回路の利得切替回路を図５２に示す。
【０２４０】
なお第２の従来技術を適用した図４７の回路や第２の実施の形態の技術を適用した図４８の回路において、ＯＰアンプＵの非反転入力側の抵抗切替部は、第３の従来技術や第３の実施の形態の技術と考えることも可能である。第３の従来技術を適用した図４９の回路では、どの半導体スイッチがオンになるかによって入力電圧（Ｖｉｎ−やＶｉｎ＋）から見た抵抗値が変化するという問題があるが、第３の実施の形態の技術を適用した図５０の回路ではビデオマルチプレクサを用いるので、入力電圧から見た抵抗値が変化するという問題がない。
【０２４１】
第３の従来技術を適用した図４９に示す利得切替回路では、利得抵抗Ｒｇ−、Ｒｇ＋の抵抗値は各々、半導体スイッチの抵抗値を差し引いた値とする必要がある。また第４の従来技術を適用した図５１に示す利得切替回路では、抵抗素子である帰還抵抗Ｒｆ1−、Ｒｆ2−、Ｒｆ1＋、Ｒｆ2＋の抵抗値は各々、半導体スイッチの抵抗値を差し引いた値とする必要がある。しかし半導体スイッチの抵抗はばらつきが大きく、また入力電圧や周囲温度等によって変化する。このため、十分な同相除去比が得られなかったり、正確な利得が得られなかったりするおそれがある。なお、第３の実施の形態の技術や第４の実施の形態の技術を適用すれば、このような問題は生じない。
【０２４２】
なお、第４の従来技術と第４の実施の形態の技術では共に、抵抗素子である帰還抵抗（あるいはそれに相当する素子）側にだけ半導体スイッチやビデオマルチプレクサを用いた例を示している。利得抵抗（あるいはそれに相当する素子）側にだけ半導体スイッチやビデオマルチプレクサを用いたり両方に用いたりすることも可能である。（以下、電流増幅回路を除き同様。）
【０２４３】
このように、差動増幅回路においても前述の非反転増幅回路や反転増幅回路と同様に、第１の従来技術〜第４の従来技術や第１の実施の形態〜第４の実施の形態の全ての技術を適用可能である。
【０２４４】
図４６、図４８、図５０および図５２に示す利得切替回路は、ビデオマルチプレクサを備えるので、ビデオマルチプレクサを備えない図４５、図４７、図４９および図５１に示す利得切替回路に比べて、第１の実施の形態〜第４の実施の形態で既述したいずれかの効果を得ることができる。前述の、第１の従来技術を用いた利得切替回路と第１の実施の形態の対比で示した第１の実施の形態の効果、第２の従来技術を用いた利得切替回路と第２の実施の形態の対比で示した第２の実施の形態の効果、第３の従来技術を用いた利得切替回路と第３の実施の形態の対比で示した第３の実施の形態の効果、第４の従来技術を用いた利得切替回路と第４の実施の形態の対比で示した第４の実施の形態の効果は、差動増幅回路においても同様の効果が得られる。
【０２４５】
図９０に示す他の差動増幅回路に第１の実施の形態〜第４の実施の形態のいずれかの技術を適用して、利得抵抗Ｒｇ−、Ｒｇ＋、帰還抵抗Ｒｆ−、Ｒｆ＋および帰還抵抗Ｒｆ、Ｒｆ’の抵抗値を切替え可能にすることができる。図９０において、利得抵抗Ｒｇ−とＲｇ＋は同じ抵抗値Ｒｇであり、帰還抵抗Ｒｆ−とＲｆ＋は同じ抵抗値Ｒｆであり、帰還抵抗ＲｆとＲｆ’も同じ抵抗値Ｒｆであるとする。この場合、出力電圧Ｖｏｕｔは、Ｖｏｕｔ＝（Ｒｆ÷Ｒｇ）｛１＋（２Ｒｆ÷Ｒｄ）｝｛（Ｖｉｎ＋）−（Ｖｉｎ−）｝となる。この回路では、ＯＰアンプＵの利得を図４５〜図５２と同様の方法で切り替えることができるが、ＯＰアンプＵ−とＯＰアンプＵ＋の増幅段でＲｆ＋、Ｒｆ−やＲｄを切り替えることによって利得を切り替えることもできる。
【０２４６】
他の回路形式による差動増幅回路は、例示を省略する。
【０２４７】
図９１に示す反転型加算回路に第１の実施の形態〜第４の実施の形態のいずれかの技術を適用して、利得抵抗Ｒｇ1とＲｇ2、帰還抵抗Ｒｆの抵抗値を切替え可能にすることができる。利得抵抗Ｒｇ1とＲｇ2が同じ抵抗値Ｒｇの場合、出力電圧Ｖｏｕｔは、Ｖｏｕｔ＝−（Ｒｆ÷Ｒｇ）｛（Ｖｉｎ１）＋（Ｖｉｎ２）｝となる。
【０２４８】
図９２に示す加減算回路に第１の実施の形態〜第４の実施の形態のいずれかの技術を適用して、利得抵抗利得抵抗Ｒｇ1、Ｒｇ2、Ｒｇ’、帰還抵抗Ｒｆ、Ｒｆ’の抵抗値を切替え可能にすることができる。利得抵抗Ｒｇ1、Ｒｇ2が同じ抵抗値Ｒｇであり、利得抵抗Ｒｇ’の抵抗値がＲｇ÷２であり、帰還抵抗Ｒｆ、Ｒｆ’が同じ抵抗値Ｒｆの場合、出力電圧Ｖｏｕｔは、Ｖｏｕｔ＝（Ｒｆ÷Ｒｇ）｛２（Ｖｉｎ＋）−（Ｖｉｎ１）−（Ｖｉｎ２）｝となる。
【０２４９】
図９１に示す反転型加算回路や図９２に示す加減算回路も増幅回路の一種であり、図８９に示す差動増幅回路と同様に、第１の実施の形態〜第４の実施の形態の技術を適用でき、同様の効果が得られる。
【０２５０】
図９３に示す積分回路に第１の実施の形態や第４の実施の形態の技術を適用して、利得抵抗Ｒｇの抵抗値および帰還容量Ｃｆの容量値を切替え可能にすることができる。オフセット電圧等が長時間積分されて出力が飽和してしまうことを回避するために、帰還抵抗Ｒｆを併用することができる。この場合、第４の実施の形態の技術を適用して、帰還抵抗Ｒｆの抵抗値を切替え可能にすることもできる。
【０２５１】
第１の従来技術を適用した積分回路の積分定数切替回路を図５３に、第１の実施の形態の技術を適用した積分回路の積分定数切替回路を図５４に示す。これらでは、積分定数を決定する、抵抗素子である利得抵抗Ｒｇと容量素子である帰還容量Ｃｆの直列接続による素子群を切り替えている。
【０２５２】
第４の従来技術を適用した積分回路の積分定数切替回路を図５５に、第４の実施の形態の技術を適用した積分回路の積分定数切替回路を図５６に示す。これらでは、積分定数を決定する利得抵抗Ｒｇと帰還容量Ｃｆのうち、帰還容量Ｃｆの並列接続による素子群だけを切り替えることによって積分定数を切り替えている。
【０２５３】
第４の従来技術や第４の実施の形態の技術においては、利得抵抗Ｒｇだけを切り替えることや、利得抵抗Ｒｇと帰還容量Ｃｆの両方を切り替えることも可能である。
【０２５４】
第１の従来技術を適用した図５３に示す積分定数切替回路や第４の従来技術を適用した図５５に示す積分定数切替回路では、ＯＰアンプＵの反転入力に半導体スイッチＳ1、Ｓ2の容量が付加されるため、回路の安定性を損なう可能性がある。これに対して第１の実施の形態の技術を適用した図５４に示す積分定数切替回路ではビデオマルチプレクサのバッファアンプＵ1、Ｕ2が低インピーダンスでＯＰアンプＵの反転入力を駆動しており、第４の実施の形態の技術を適用した図５６に示す積分定数切替回路ではＯＰアンプＵの反転入力には余分な容量は付加されないため、より安定した回路動作が期待できる。
【０２５５】
図９４に示す微分回路に第１の実施の形態や第４の実施の形態の技術を適用して、容量素子Ｃｇの容量値および帰還抵抗Ｒｆの抵抗値を切替え可能にすることができる。高周波ノイズへの感度を抑制するなどのために、容量素子Ｃｇに直列に抵抗Ｒｇを併用して、不完全微分回路とすることもできる。
【０２５６】
第１の従来技術を適用した微分回路の微分定数切替回路を図５７に、第１の実施の形態の技術を適用した微分回路の微分定数切替回路を図５８に示す。これらでは、微分定数を決定する、容量素子Ｃｇと抵抗素子である帰還抵抗Ｒｆの直列接続による素子群を切り替えている。
【０２５７】
第４の従来技術を適用した微分回路の微分定数切替回路を図５９に、第４の実施の形態の技術を適用した微分回路の微分定数切替回路を図６０に示す。これらでは、微分定数を決定する容量素子Ｃｇと抵抗素子である帰還抵抗Ｒｆのうち、帰還抵抗Ｒｆの並列接続による素子群だけを切り替えることによって微分定数を切り替えている。
【０２５８】
第４の従来技術の適用や第４の実施の形態の技術の適用においては、容量素子Ｃｇだけを切り替えることや、容量素子Ｃｇと帰還抵抗Ｒｆの両方を切り替えることも可能である。
【０２５９】
第１の従来技術を適用した図５７に示す微分定数切替回路や第４の従来技術を適用した図５９に示す微分定数切替回路では、ＯＰアンプＵの反転入力に半導体スイッチＳ1、Ｓ2の容量が付加されるため、回路の安定性を損なう可能性がある。これに対して第１の実施の形態の技術を適用した図５８に示す微分定数切替回路ではビデオマルチプレクサのバッファアンプＵ1、Ｕ2が低インピーダンスでＯＰアンプＵの反転入力を駆動しており、第４の実施の形態の技術を適用した図６０に示す微分定数切替回路ではＯＰアンプＵの反転入力には余分な容量は付加されないため、より安定した回路動作が期待できる。
【０２６０】
図９５に示す電流増幅回路（電流−電圧変換回路）に第４の実施の形態の技術を適用して、帰還抵抗Ｒｆの抵抗値を切替え可能にすることができる。第４の従来技術を適用した電流増幅回路の利得切替回路を図６１に、第４の実施の形態の技術を適用した電流増幅回路の利得切替回路を図６２に示す。これらでは、電流−電圧変換係数を決定する帰還抵抗Ｒｆの並列接続による素子群を切り替えている。
【０２６１】
第４の従来技術を適用した図６１に示す利得切替回路では、半導体スイッチＳ1と帰還抵抗Ｒｆ1の接続点に半導体スイッチＳ1の容量が、半導体スイッチＳ2と帰還抵抗Ｒｆ2の接続点に半導体スイッチＳ2の容量が付加されるため、平坦な周波数特性が得られないおそれがある。これに対して第４の実施の形態の技術を適用した図６２に示す利得切替回路では、ビデオマルチプレクサの出力容量は半導体スイッチＳ1、Ｓ2の容量よりも格段に小さいため、良好な周波数特性が期待できる。
【０２６２】
図９６に示す電圧−電流変換回路に第２の実施の形態または第４の実施の形態の技術を適用して、シャント抵抗Ｒｓの抵抗値を切替え可能にすることができる。第２の従来技術を適用した電圧−電流変換回路の変換定数切替回路を図６３に、第２の実施の形態の技術を適用した電圧−電流変換回路の変換定数切替回路を図６４に示す。これらでは、電流−電圧変換係数を決定するシャント抵抗Ｒｓを複数の抵抗素子を直列接続した素子群として、切り替えている。第４の従来技術を適用した電圧−電流変換回路の変換定数切替回路を図６５に、第４の実施の形態の技術を適用した電圧−電流変換回路の変換定数切替回路を図６６に示す。これらでは、電流−電圧変換係数を決定するシャント抵抗Ｒｓを複数の抵抗素子を並列接続した素子群として、切り替えている。
【０２６３】
第２の従来技術を適用した図６３に示す変換定数切替回路では、ＯＰアンプＵの反転入力に半導体スイッチＳ1、Ｓ2の容量が付加されるため、周波数特性にピークを生じたりする場合がある。これに対して第２の実施の形態の技術を適用した図６４に示す変換定数切替回路ではビデオマルチプレクサのバッファアンプＵ1、Ｕ2が低インピーダンスでＯＰアンプＵの反転入力を駆動しているため、より安定した回路動作が期待できる。
【０２６４】
第４の従来技術を適用した図６５に示す変換定数切替回路では、シャント抵抗Ｒｓ1やＲｓ2と半導体スイッチＳ1やＳ2が直列に接続されているため、半導体スイッチの入力電圧や周囲温度によって半導体スイッチの抵抗値が変化すると、変換定数が変化してしまうという問題がある。これに対して第４の実施の形態の技術を適用した図６６に示す変換定数切替回路では、より正確な変換定数が得られる。半導体スイッチに流せる電流やビデオマルチプレクサのバッファアンプの出力電流容量は、比較的小さい（一例として数十ｍＡ程度）ので、これらの変換定数切替回路は小容量の電圧−電流変換回路に適用される。電圧−電流変換回路には他にも様々な回路形式があるが、ここでは他の回路形式の例示は省略する。
【０２６５】
図９７に示すアクティブフィルタに第１の実施の形態の技術を適用して、抵抗素子Ｒ1、Ｒ2の抵抗値および容量素子Ｃ1、Ｃ2の容量値を切替え可能にすることができる。図９７では２次の正帰還型ローパスフィルタを例示しているが、他の次数、他の回路形式や他のフィルタ形式にも同様に適用可能である。
【０２６６】
第１の従来技術を適用したアクティブフィルタの切替回路を図６７に、第１の実施の形態の技術を適用したアクティブフィルタの切替回路を図６８に示す。
【０２６７】
これらの回路では、フィルタを実現するための素子群として、２つの抵抗素子Ｒ1、Ｒ2と２つの容量素子Ｃ1、Ｃ2からなる素子群と２つの抵抗素子Ｒ1’、Ｒ2’と２つの容量素子Ｃ1’、Ｃ2’からなる素子群とを備え、これらの素子群を切り替えている。これらの素子群を異なるカットオフ周波数となるように設定し、半導体スイッチＳ1、Ｓ2またはビデオマルチプレクサのバッファアンプＵ1、Ｕ2でこれらの素子群を切り替えれば、アクティブフィルタのカットオフ周波数切替回路を実現できる。また、これらの素子群を異なるＱとなるように設定し、半導体スイッチＳ1、Ｓ2またはビデオマルチプレクサのバッファアンプＵ1、Ｕ2でこれらの素子群を切り替えれば、アクティブフィルタのＱの切替回路を実現できる。カットオフ周波数やＱ以外のフィルタ定数の切替えにも自由に応用可能である。
【０２６８】
第１の従来技術を適用した図６７に示すアクティブフィルタでは、容量素子Ｃ2やＣ2’に半導体スイッチＳ1、Ｓ2の容量が追加される。しかし半導体スイッチＳ1、Ｓ2の容量はばらつきが大きく、温度等による変化も大きいので、半導体スイッチＳ1、Ｓ2の容量を差し引いて容量素子Ｃ2やＣ2’の容量を決めたとしても、正確なフィルタ定数が得られないおそれがある。これに対して第１の実施の形態の技術を適用した図６８に示すアクティブフィルタでは、ビデオマルチプレクサの入力容量は半導体スイッチＳ1、Ｓ2の容量よりも格段に小さいため、より正確なフィルタ定数が得られる。
【０２６９】
図９８に示す方形波発振回路に第１の実施の形態や第４の実施の形態の技術を適用して、容量素子Ｃｇの容量値および帰還抵抗Ｒｆの抵抗値を切替え可能にすることができる。この回路では、ＯＰアンプＵはコンパレータとして使用されており、抵抗素子Ｒ1、Ｒ2、Ｒ3によってヒステリシス特性をもたせている。この回路では、容量素子Ｃｇと帰還抵抗Ｒｆの直列接続からなる素子群を用いており、１÷（Ｃｇ×Ｒｆ）にほぼ比例した周波数の方形波が得られる。
【０２７０】
第１の従来技術を適用した方形波発振回路の発振周波数切替回路を図６９に、第１の実施の形態の技術を適用した方形波発振回路の発振周波数切替回路を図７０に示す。これらの回路では、発振周波数を決める素子群として、帰還抵抗Ｒｆと容量素子Ｃｇによる素子群と、帰還抵抗Ｒｆ’と容量素子Ｃｇ’による素子群とを備え、これらの素子群を切り替えている。
【０２７１】
第４の従来技術を適用した方形波発振回路の発振周波数切替回路を図７１に、第４の実施の形態の技術を適用した方形波発振回路の発振周波数切替回路を図７２に示す。これらの回路では、発振周波数を決める容量素子Ｃｇと帰還抵抗Ｒｆのうち、帰還抵抗Ｒｆの並列接続による素子群だけを切り替えている。
【０２７２】
第４の従来技術や第４の実施の形態の技術においては、容量素子Ｃｇだけを切り替えることや、容量素子Ｃｇと帰還抵抗Ｒｆの両方を切り替えることも可能である。
【０２７３】
第１の従来技術を適用した図６９に示す発振周波数切替回路では、容量素子ＣｇやＣｇ’に半導体スイッチＳ1、Ｓ2の容量が追加される。しかし半導体スイッチＳ1、Ｓ2の容量はばらつきが大きく、温度等による変化も大きいので、半導体スイッチＳ1、Ｓ2の容量を差し引いて容量素子ＣｇやＣｇ’の容量を決めたとしても、正確な発振周波数が得られないおそれがある。これに対して第１の実施の形態の技術を適用した図７０に示す発振周波数切替回路では、ビデオマルチプレクサの入力容量は半導体スイッチＳ1、Ｓ2の容量よりも格段に小さいため、より正確な発振周波数が得られる。第４の従来技術を適用した図７１に示す発振周波数切替回路や第４の実施の形態の技術を適用した図７２に示す発振周波数切替回路では、ＯＰアンプＵの反転入力には容量素子Ｃｇだけが接続されるため、半導体スイッチＳ1、Ｓ2やビデオマルチプレクサの容量の影響は小さいので、このような目的に適している。
【０２７４】
上記した実施の形態について、変形例を列挙する。
【０２７５】
(1) 上記実施の形態では、利得切替回路が増幅手段を含み、増幅器として機能し、利得切替回路中の切替手段によりこの利得切替回路の利得を切り替える例を示したが、例えば増幅手段を備える増幅器に、切替手段を備える利得切替回路を接続して、利得切替回路の切替手段により利得切替回路外の増幅器の利得を切り替えるようにしてもよい。つまり、上記実施の形態の抵抗切替部１４、３４、５４、７４、９４、１０４により利得切替回路を形成し、このような利得切替回路をＯＰアンプＵ等の増幅手段に接続し、増幅器の利得を切り替えるようにしてもよい。
【０２７６】
(2) 上記実施の形態では、増幅手段と受動素子の組合せによる電子回路を例示したが、受動素子以外にも、ダイオード等の非線形素子や、トランジスタ、ＦＥＴ等の増幅素子、ＯＰアンプなどの増幅手段に広く用いることができる。
【０２７７】
(3) シミュレーション回路例においては、増幅手段として電圧帰還型のＯＰアンプを例示したが、電流帰還型のＯＰアンプなどであってもよい。また応用回路によっては、コンパレータを用いることができる場合がある。
【０２７８】
以上説明したように、本発明の実施形態について説明したが、本発明は、上記記載に限定されるものではなく、特許請求の範囲に記載され、または明細書に開示された発明の要旨に基づき、当業者において様々な変形や変更が可能であることは勿論であり、斯かる変形や変更が、本発明の範囲に含まれることは言うまでもない。
【産業上の利用可能性】
【０２７９】
本発明は、ＯＰアンプなどを用いる増幅器において利得切替えを用いる場合に、広く用いることができ、例えば、反転増幅回路、非反転増幅回路、差動増幅回路、電流増幅回路などに適用することができる。また、反転型加算回路、加減算回路、微分回路、積分回路などの演算回路の利得や演算定数の切替えなどに適用することができる。さらに、アクティブフィルタのカットオフ周波数やＱ等の切替えや、発振回路の発振周波数の切替え等にも、広く適用することができる。
【符号の説明】
【０２８０】
１２、２２、３２、４２、５２、６２、７２、８２、９２、１０２、２０２、２１２、２２２、２３２  利得切替回路
１４、３４、５４、７４、９４、１０４、２０４、２２４  抵抗切替部
１６、３６、５６、７６、１０６、２０６、２２６  ビデオマルチプレクサ
【図１】
0006755467.tif 000004
【図２】
0006755467.tif 000005
【図３】
0006755467.tif 000006
【図４】
0006755467.tif 000007
【図５】
0006755467.tif 000008
【図６】
0006755467.tif 000009
【図７】
0006755467.tif 000010
【図８】
0006755467.tif 000011
【図９】
0006755467.tif 000012
【図１０】
0006755467.tif 000013
【図１１】
0006755467.tif 000014
【図１２】
0006755467.tif 000015
【図１３】
0006755467.tif 000016
【図１４】
0006755467.tif 000017
【図１５】
0006755467.tif 000018
【図１６】
0006755467.tif 000019
【図１７】
0006755467.tif 000020
【図１８】
0006755467.tif 000021
【図１９】
0006755467.tif 000022
【図２０】
0006755467.tif 000023
【図２１】
0006755467.tif 000024
【図２２】
0006755467.tif 000025
【図２３】
0006755467.tif 000026
【図２４】
0006755467.tif 000027
【図２５】
0006755467.tif 000028
【図２６】
0006755467.tif 000029
【図２７】
0006755467.tif 000030
【図２８】
0006755467.tif 000031
【図２９】
0006755467.tif 000032
【図３０】
0006755467.tif 000033
【図３１】
0006755467.tif 000034
【図３２】
0006755467.tif 000035
【図３３】
0006755467.tif 000036
【図３４】
0006755467.tif 000037
【図３５】
0006755467.tif 000038
【図３６】
0006755467.tif 000039
【図３７】
0006755467.tif 000040
【図３８】
0006755467.tif 000041
【図３９】
0006755467.tif 000042
【図４０】
0006755467.tif 000043
【図４１】
0006755467.tif 000044
【図４２】
0006755467.tif 000045
【図４３】
0006755467.tif 000046
【図４４】
0006755467.tif 000047
【図４５】
0006755467.tif 000048
【図４６】
0006755467.tif 000049
【図４７】
0006755467.tif 000050
【図４８】
0006755467.tif 000051
【図４９】
0006755467.tif 000052
【図５０】
0006755467.tif 000053
【図５１】
0006755467.tif 000054
【図５２】
0006755467.tif 000055
【図５３】
0006755467.tif 000056
【図５４】
0006755467.tif 000057
【図５５】
0006755467.tif 000058
【図５６】
0006755467.tif 000059
【図５７】
0006755467.tif 000060
【図５８】
0006755467.tif 000061
【図５９】
0006755467.tif 000062
【図６０】
0006755467.tif 000063
【図６１】
0006755467.tif 000064
【図６２】
0006755467.tif 000065
【図６３】
0006755467.tif 000066
【図６４】
0006755467.tif 000067
【図６５】
0006755467.tif 000068
【図６６】
0006755467.tif 000069
【図６７】
0006755467.tif 000070
【図６８】
0006755467.tif 000071
【図６９】
0006755467.tif 000072
【図７０】
0006755467.tif 000073
【図７１】
0006755467.tif 000074
【図７２】
0006755467.tif 000075
【図７３】
0006755467.tif 000076
【図７４】
0006755467.tif 000077
【図７５】
0006755467.tif 000078
【図７６】
0006755467.tif 000079
【図７７】
0006755467.tif 000080
【図７８】
0006755467.tif 000081
【図７９】
0006755467.tif 000082
【図８０】
0006755467.tif 000083
【図８１】
0006755467.tif 000084
【図８２】
0006755467.tif 000085
【図８３】
0006755467.tif 000086
【図８４】
0006755467.tif 000087
【図８５】
0006755467.tif 000088
【図８６】
0006755467.tif 000089
【図８７】
0006755467.tif 000090
【図８８】
0006755467.tif 000091
【図８９】
0006755467.tif 000092
【図９０】
0006755467.tif 000093
【図９１】
0006755467.tif 000094
【図９２】
0006755467.tif 000095
【図９３】
0006755467.tif 000096
【図９４】
0006755467.tif 000097
【図９５】
0006755467.tif 000098
【図９６】
0006755467.tif 000099
【図９７】
0006755467.tif 000100
【図９８】
0006755467.tif 000101